(57)【特許請求の範囲】
【請求項１】
画素アレイ部と駆動部とからなり、
前記画素アレイ部は、行状の走査線と、列状の信号線と、各走査線と各信号線とが交差する部分に配された行列状の画素とを備え、
各画素は少なくとも、サンプリングトランジスタと、ドライブトランジスタと、保持容量と、発光素子とを備え、
前記サンプリングトランジスタは、その制御端が該走査線に接続し、その一対の電流端が該信号線と該ドライブトランジスタの制御端との間に接続し、
前記ドライブトランジスタは、一対の電流端の一方が該発光素子に接続し、他方が電源に接続し、
前記保持容量は、該ドライブトランジスタの制御端と電流端との間に接続し、
前記駆動部は少なくとも、各走査線に順次制御信号を供給して線順次走査を行うライトスキャナと、該線順次走査に合わせて各信号線に映像信号を供給する信号セレクタとを有し、
前記サンプリングトランジスタは、該走査線に供給された制御信号に応じてオンし、該信号線から映像信号をサンプリングして該保持容量に書き込むとともに、制御信号に応じてオフするまでの所定の補正期間に該ドライブトランジスタから流れる電流を該保持容量に負帰還して、該ドライブトランジスタの移動度に応じた補正量を該保持容量に書き込み、
前記ドライブトランジスタは、該保持容量に書き込まれた映像信号及び補正量に応じた電流を該発光素子に供給して発光させる表示装置であって、
前記ライトスキャナは、少なくとも二連のパルスを含む制御信号を該走査線に供給して、第１補正期間及び第２補正期間とその間の補正中間期間を設け、
前記サンプリングトランジスタは、第１補正期間で該保持容量に対する補正量の書き込みを行ない、補正中間期間で該保持容量に対する補正量の書き込みを加速し、第２補正期間で該保持容量に対する補正量の書き込みを確定することを特徴とする表示装置。
【請求項２】
前記サンプリングトランジスタは補正中間期間において、映像信号のレベルに応じ該保持容量に対する補正量の書き込みの加速度合いを自動的に調整し、以って映像信号のレベルに応じた補正量を該保持容量に書き込むことを特徴とする請求項１記載の表示装置。
【請求項３】
画素アレイ部と駆動部とからなり、
前記画素アレイ部は、行状の走査線と、列状の信号線と、各走査線と各信号線とが交差する部分に配された行列状の画素とを備え、
各画素は少なくとも、サンプリングトランジスタと、ドライブトランジスタと、保持容量と、発光素子とを備え、
前記サンプリングトランジスタは、その制御端が該走査線に接続し、その一対の電流端が該信号線と該ドライブトランジスタの制御端との間に接続し、
前記ドライブトランジスタは、一対の電流端の一方が該発光素子に接続し、他方が電源に接続し、
前記保持容量は、該ドライブトランジスタの制御端と電流端との間に接続し、
前記駆動部は少なくとも、各走査線に順次制御信号を供給して線順次走査を行うライトスキャナと、該線順次走査に合わせて各信号線に映像信号を供給する信号セレクタとを有し、
前記サンプリングトランジスタは、該走査線に供給された制御信号に応じてオンし、該信号線から映像信号をサンプリングして該保持容量に書き込むとともに、制御信号に応じてオフするまでの所定の補正期間に該ドライブトランジスタから流れる電流を該保持容量に負帰還して、該ドライブトランジスタの移動度に応じた補正量を該保持容量に書き込み、
前記ドライブトランジスタは、該保持容量に書き込まれた映像信号及び補正量に応じた電流を該発光素子に供給して発光させる表示装置であって、
前記ライトスキャナは、ピークレベルが異なる少なくとも二連のパルスを含む制御信号を該走査線に供給し、
前記サンプリングトランジスタは、そのゲートとなる制御端に印加される二連のパルスのピークレベルに従い、そのソース側となる電流端に印加される映像信号のレベルに応じてオンオフ動作し、以って映像信号のレベルに応じて該補正時間を自動的に調整することを特徴とする表示装置。
【請求項４】
前記ライトスキャナは、第１のパルスのピークレベルが第２のパルスのピークレベルよりも高い二連のパルスを含む制御信号を該走査線に供給し、
前記サンプリングトランジスタは、映像信号のレベルが高い時、第１のパルスに応答してオンし、その間だけ補正量を該保持容量に書込み、映像信号のレベルが低い時、第１のパルス及び第２のパルスに応答して夫々オンし、これらの間に補正量を該保持容量に書込むことを特徴とする請求項３記載の表示装置。
【請求項５】
前記サンプリングトランジスタは第１及び第２のパルスに応答して夫々オンする間でオフしている補正中間期間において、映像信号のレベルに応じ該保持容量に対する補正量の書き込みの加速度合いを自動的に調整し、以って映像信号のレベルに応じた補正量を該保持容量に書き込むことを特徴とする請求項４記載の表示装置。
【請求項６】
前記ライトスキャナは、該制御信号に含まれる各パルスのパルス幅をパルス波形の遷移時間よりも狭めて、各パルスのピークレベルを設定することを特徴とする請求項３記載の表示装置。
【請求項７】
画素アレイ部と駆動部とからなり、前記画素アレイ部は、行状の走査線と、列状の信号線と、各走査線と各信号線とが交差する部分に配された行列状の画素とを備え、各画素は少なくとも、サンプリングトランジスタと、ドライブトランジスタと、保持容量と、発光素子とを備え、前記サンプリングトランジスタは、その制御端が該走査線に接続し、その一対の電流端が該信号線と該ドライブトランジスタの制御端との間に接続し、前記ドライブトランジスタは、一対の電流端の一方が該発光素子に接続し、他方が電源に接続し、前記保持容量は、該ドライブトランジスタの制御端と電流端との間に接続し、前記駆動部は少なくとも、各走査線に順次制御信号を供給して線順次走査を行うライトスキャナと、該線順次走査に合わせて各信号線に映像信号を供給する信号セレクタとを有する表示装置の駆動方法であって、
該走査線に供給された制御信号に応じて前記サンプリングトランジスタがオンし、該信号線から映像信号をサンプリングして該保持容量に書き込むとともに、制御信号に応じてオフするまでの所定の補正期間に該ドライブトランジスタから流れる電流を該保持容量に負帰還して、該ドライブトランジスタの移動度に応じた補正量を該保持容量に書き込み、  該保持容量に書き込まれた映像信号及び補正量に応じた電流を前記ドライブトランジスタが該発光素子に供給して発光させ、
少なくとも二連のパルスを含む制御信号を前記ライトスキャナが該走査線に供給して、第１補正期間及び第２補正期間とその間の補正中間期間を設け、
第１補正期間で前記サンプリングトランジスタが該保持容量に対する補正量の書き込みを行ない、補正中間期間で該保持容量に対する補正量の書き込みを加速し、第２補正期間で該保持容量に対する補正量の書き込みを確定することを特徴とする表示装置の駆動方法。
【請求項８】
画素アレイ部と駆動部とからなり、前記画素アレイ部は、行状の走査線と、列状の信号線と、各走査線と各信号線とが交差する部分に配された行列状の画素とを備え、各画素は少なくとも、サンプリングトランジスタと、ドライブトランジスタと、保持容量と、発光素子とを備え、前記サンプリングトランジスタは、その制御端が該走査線に接続し、その一対の電流端が該信号線と該ドライブトランジスタの制御端との間に接続し、前記ドライブトランジスタは、一対の電流端の一方が該発光素子に接続し、他方が電源に接続し、前記保持容量は、該ドライブトランジスタの制御端と電流端との間に接続し、前記駆動部は少なくとも、各走査線に順次制御信号を供給して線順次走査を行うライトスキャナと、該線順次走査に合わせて各信号線に映像信号を供給する信号セレクタとを有する表示装置の駆動方法であって、
該走査線に供給された制御信号に応じて前記サンプリングトランジスタがオンし、該信号線から映像信号をサンプリングして該保持容量に書き込むとともに、制御信号に応じてオフするまでの所定の補正期間に該ドライブトランジスタから流れる電流を該保持容量に負帰還して、該ドライブトランジスタの移動度に応じた補正量を該保持容量に書き込み、
該保持容量に書き込まれた映像信号及び補正量に応じた電流を前記ドライブトランジスタが該発光素子に供給して発光させ、
ピークレベルが異なる少なくとも二連のパルスを含む制御信号を前記ライトスキャナが該走査線に供給し、
前記サンプリングトランジスタは、そのゲートとなる制御端に印加される二連のパルスのピークレベルに従い、そのソース側となる電流端に印加される映像信号のレベルに応じてオンオフ動作し、以って映像信号のレベルに応じて該補正時間を自動的に調整することを特徴とする表示装置の駆動方法。
【請求項９】
請求項１に記載した表示装置を備えた電子機器。
【請求項１０】
請求項３に記載した表示装置を備えた電子機器。
【発明の詳細な説明】
【技術分野】
【０００１】
本発明は、画素毎に配した発光素子を電流駆動して画像を表示する表示装置及びその駆動方法に関する。またかかる表示装置を用いた電子機器に関する。詳しくは、各画素回路内に設けた絶縁ゲート型電界効果トランジスタによって有機ＥＬなどの発光素子に通電する電流量を制御する、いわゆるアクティブマトリクス型の表示装置の駆動方式に関する。
【背景技術】
【０００２】
表示装置、例えば液晶ディスプレイなどでは、多数の液晶画素をマトリクス状に並べ、表示すべき画像情報に応じて画素毎に入射光の透過強度又は反射強度を制御することによって画像を表示する。これは、有機ＥＬ素子を画素に用いた有機ＥＬディスプレイなどにおいても同様であるが、液晶画素と異なり有機ＥＬ素子は自発光素子である。その為、有機ＥＬディスプレイは液晶ディスプレイに比べて画像の視認性が高く、バックライトが不要であり、応答速度が高いなどの利点を有する。又、各発光素子の輝度レベル（階調）はそれに流れる電流値によって制御可能であり、いわゆる電流制御型であるという点で液晶ディスプレイなどの電圧制御型とは大きく異なる。
【０００３】
有機ＥＬディスプレイにおいては、液晶ディスプレイと同様、その駆動方式として単純マトリクス方式とアクティブマトリクス方式とがある。前者は構造が単純であるものの、大型且つ高精細のディスプレイの実現が難しいなどの問題がある為、現在はアクティブマトリクス方式の開発が盛んに行なわれている。この方式は、各画素回路内部の発光素子に流れる電流を、画素回路内部に設けた能動素子（一般には薄膜トランジスタ、ＴＦＴ）によって制御するものであり、以下の特許文献に記載がある。
【特許文献１】特開２００３−２５５８５６
【特許文献２】特開２００３−２７１０９５
【特許文献３】特開２００４−１３３２４０
【特許文献４】特開２００４−０２９７９１
【特許文献５】特開２００４−０９３６８２
【特許文献６】特開２００６−２１５２１３
【発明の開示】
【発明が解決しようとする課題】
【０００４】
従来の画素回路は、制御信号を供給する行状の走査線と映像信号を供給する列状の信号線とが交差する部分に配され、少なくともサンプリングトランジスタと保持容量とドライブトランジスタと発光素子とを含む。サンプリングトランジスタは、走査線から供給される制御信号に応じ導通して信号線から供給された映像信号をサンプリングする。保持容量は、サンプリングされた映像信号の信号電位に応じた入力電圧を保持する。ドライブトランジスタは、保持容量に保持された入力電圧に応じて所定の発光期間に出力電流を駆動電流として供給する。尚一般に、出力電流はドライブトランジスタのチャネル領域のキャリア移動度及び閾電圧に対して依存性を有する。発光素子は、ドライブトランジスタから供給された出力電流により映像信号に応じた輝度で発光する。
【０００５】
ドライブトランジスタは、保持容量に保持された入力電圧を制御端であるゲートに受けて一対の電流端であるソース／ドレイン間に出力電流を流し、発光素子に通電する。一般に発光素子の発光輝度は通電量に比例している。更にドライブトランジスタの出力電流供給量はゲート電圧すなわち保持容量に書き込まれた入力電圧によって制御される。従来の画素回路は、ドライブトランジスタのゲートに印加される入力電圧を入力映像信号に応じて変化させることで、発光素子に供給する電流量を制御している。
【０００６】
ここでドライブトランジスタの動作特性は以下の式１で表わされる。
Ｉｄｓ＝（１／２）μ（Ｗ／Ｌ）Ｃｏｘ（Ｖｇｓ−Ｖｔｈ）２・・・式１
このトランジスタ特性式１において、Ｉｄｓはソース／ドレイン間に流れるドレイン電流を表わしており、画素回路では発光素子に供給される出力電流である。Ｖｇｓはソースを基準としてゲートに印加されるゲート電圧を表わしており、画素回路では上述した入力電圧である。Ｖｔｈはトランジスタの閾電圧である。又μはトランジスタのチャネルを構成する半導体薄膜の移動度を表わしている。その他Ｗはチャネル幅を表わし、Ｌはチャネル長を表わし、Ｃｏｘはゲート容量を表わしている。このトランジスタ特性式１から明らかな様に、薄膜トランジスタは飽和領域で動作する時、ゲート電圧Ｖｇｓが閾電圧Ｖｔｈを超えて大きくなると、オン状態となってドレイン電流Ｉｄｓが流れる。原理的に見ると上記のトランジスタ特性式１が示す様に、ゲート電圧Ｖｇｓが一定であれば常に同じ量のドレイン電流Ｉｄｓが発光素子に供給される。従って、画面を構成する各画素に全て同一のレベルの映像信号を供給すれば、全画素が同一輝度で発光し、画面の一様性（ユニフォーミティ）が得られるはずである。
【０００７】
しかしながら実際には、ポリシリコンなどの半導体薄膜で構成された薄膜トランジスタ（ＴＦＴ）は、個々のデバイス特性にばらつきがある。特に、閾電圧Ｖｔｈは一定ではなく、各画素毎にばらつきがある。前述のトランジスタ特性式１から明らかな様に、各ドライブトランジスタの閾電圧Ｖｔｈがばらつくと、ゲート電圧Ｖｇｓが一定であっても、ドレイン電流Ｉｄｓにばらつきが生じ、画素毎に輝度がばらついてしまう為、画面のユニフォーミティを損なう。従来からドライブトランジスタの閾電圧のばらつきをキャンセルする機能を組み込んだ画素回路が開発されており、例えば前記の特許文献３に開示がある。
【０００８】
しかしながら、発光素子に対する出力電流のばらつき要因は、ドライブトランジスタの閾電圧Ｖｔｈだけではない。上記のトランジスタ特性式１から明らかなように、ドライブトランジスタの移動度μがばらついた場合にも、出力電流Ｉｄｓが変動する。この結果、画面のユニフォーミティが損なわれる。従来からドライブトランジスタの移動度のばらつきを補正する機能を組み込んだ画素回路が開発されており、例えば前記の特許文献６に開示がある。
【０００９】
従来の移動度補正機能を備えた画素回路は、信号電位に応じてドライブトランジスタに流れる駆動電流を、所定の補正期間中に保持容量に負帰還して、保持容量に保持されている信号電位を調整する。ドライブトランジスタの移動度が大きいと負帰還量がその分大きくなり、信号電位の減少分が増え、結果として駆動電流を抑制することができる。一方ドライブトランジスタの移動度が小さいときは保持容量に対する負帰還量が小さくなるので、保持された信号電位の減少幅は少ない。従って駆動電流は余り減少しない。この様に個々の画素のドライブトランジスタの移動度の大小に応じこれをキャンセルする方向に信号電位を調整している。よって個々の画素のドライブトランジスタの移動度がばらつくにもかかわらず、同一の信号電位に対して個々の画素は同レベルの発光輝度を呈する。
【００１０】
上述した移動度補正動作は、所定の移動度補正期間に行われる。アクティブマトリクス型の表示装置は、１水平走査期間ごとに画素の各行を線順次で走査する。アクティブマトリクス型の表示装置は、１水平走査期間内で上述した閾電圧補正動作、信号書込動作、移動度補正動作などを行わなければならない。アクティブマトリクス型の表示装置の画素の高密度化あるいは高精細化が進むと、画素の各行に割り当てられる１水平走査期間が短縮される。これに伴って移動度補正時間も短縮化される傾向にある。従来の表示装置は移動度補正期間の短縮化に対応できず、移動度補正が不十分になる恐れがあり、解決すべき課題となっている。
【００１１】
上述した移動度補正動作は、所定の移動度補正期間に行われる。画面のユニフォーミティを高めるためには、最適な条件で移動度補正をかけることが重要である。しかしながら最適な移動度補正時間は必ずしも一定ではなく、現実には映像信号のレベルに依存している。一般には、映像信号の信号電位が高い場合（発光輝度が高く白表示を行う場合）最適な移動度補正時間は短くなる傾向にある。逆に信号電位が高くない場合（グレー階調もしくは黒階調の表示を行う場合）最適な移動度補正時間は長くなる傾向にある。しかしながら、従来の表示装置は映像信号の信号電位に対する最適移動度補正時間の依存性が必ずしも考慮されておらず、画面のユニフォーミティを高める上で解決すべき課題となっていた。
【課題を解決するための手段】
【００１２】
上述した従来の技術の課題に鑑み、本発明は短い時間で移動度補正を行うことができるように、移動度補正動作を加速可能な表示装置を提供することを目的とする。また本発明は映像信号の階調（信号レベル）に応じて移動度補正期間を調整可能な表示装置を提供することを目的とする。かかる目的を達成するために以下の手段を講じた。即ち本発明は、画素アレイ部と駆動部とからなり、前記画素アレイ部は、行状の走査線と、列状の信号線と、各走査線と各信号線とが交差する部分に配された行列状の画素とを備え、各画素は少なくとも、サンプリングトランジスタと、ドライブトランジスタと、保持容量と、発光素子とを備え、前記サンプリングトランジスタは、その制御端が該走査線に接続し、その一対の電流端が該信号線と該ドライブトランジスタの制御端との間に接続し、前記ドライブトランジスタは、一対の電流端の一方が該発光素子に接続し、他方が電源に接続し、前記保持容量は、該ドライブトランジスタの制御端と電流端との間に接続し、前記駆動部は少なくとも、各走査線に順次制御信号を供給して線順次走査を行うライトスキャナと、該線順次走査に合わせて各信号線に映像信号を供給する信号セレクタとを有し、前記サンプリングトランジスタは、該走査線に供給された制御信号に応じてオンし、該信号線から映像信号をサンプリングして該保持容量に書き込むとともに、制御信号に応じてオフするまでの所定の補正期間に該ドライブトランジスタから流れる電流を該保持容量に負帰還して、該ドライブトランジスタの移動度に応じた補正量を該保持容量に書き込み、前記ドライブトランジスタは、該保持容量に書き込まれた映像信号及び補正量に応じた電流を該発光素子に供給して発光させる表示装置であって、前記ライトスキャナは、少なくとも二連のパルスを含む制御信号を該走査線に供給して、第１補正期間及び第２補正期間とその間の補正中間期間を設け、前記サンプリングトランジスタは、第１補正期間で該保持容量に対する補正量の書き込みを行ない、補正中間期間で該保持容量に対する補正量の書き込みを加速し、第２補正期間で該保持容量に対する補正量の書き込みを確定することを特徴とする。
【００１３】
好ましくは、前記サンプリングトランジスタは補正中間期間において、映像信号のレベルに応じ該保持容量に対する補正量の書き込みの加速度合いを自動的に調整し、以って映像信号のレベルに応じた補正量を該保持容量に書き込む。
【００１４】
又本発明は、画素アレイ部と駆動部とからなり、前記画素アレイ部は、行状の走査線と、列状の信号線と、各走査線と各信号線とが交差する部分に配された行列状の画素とを備え、各画素は少なくとも、サンプリングトランジスタと、ドライブトランジスタと、保持容量と、発光素子とを備え、前記サンプリングトランジスタは、その制御端が該走査線に接続し、その一対の電流端が該信号線と該ドライブトランジスタの制御端との間に接続し、前記ドライブトランジスタは、一対の電流端の一方が該発光素子に接続し、他方が電源に接続し、前記保持容量は、該ドライブトランジスタの制御端と電流端との間に接続し、前記駆動部は少なくとも、各走査線に順次制御信号を供給して線順次走査を行うライトスキャナと、該線順次走査に合わせて各信号線に映像信号を供給する信号セレクタとを有し、前記サンプリングトランジスタは、該走査線に供給された制御信号に応じてオンし、該信号線から映像信号をサンプリングして該保持容量に書き込むとともに、制御信号に応じてオフするまでの所定の補正期間に該ドライブトランジスタから流れる電流を該保持容量に負帰還して、該ドライブトランジスタの移動度に応じた補正量を該保持容量に書き込み、前記ドライブトランジスタは、該保持容量に書き込まれた映像信号及び補正量に応じた電流を該発光素子に供給して発光させる表示装置であって、前記ライトスキャナは、ピークレベルが異なる少なくとも二連のパルスを含む制御信号を該走査線に供給し、前記サンプリングトランジスタは、そのゲートとなる制御端に印加される二連のパルスのピークレベルに従い、そのソース側となる電流端に印加される映像信号のレベルに応じてオンオフ動作し、以って映像信号のレベルに応じて該補正時間を自動的に調整することを特徴とする。
【００１５】
好ましくは前記ライトスキャナは、第１のパルスのピークレベルが第２のパルスのピークレベルよりも高い二連のパルスを含む制御信号を該走査線に供給し、前記サンプリングトランジスタは、映像信号のレベルが高い時、第１のパルスに応答してオンし、その間だけ補正量を該保持容量に書込み、映像信号のレベルが低い時、第１のパルス及び第２のパルスに応答して夫々オンし、これらの間に補正量を該保持容量に書込む。又前記サンプリングトランジスタは第１及び第２のパルスに応答して夫々オンする間でオフしている補正中間期間において、映像信号のレベルに応じ該保持容量に対する補正量の書き込みの加速度合いを自動的に調整し、以って映像信号のレベルに応じた補正量を該保持容量に書き込む。場合により前記ライトスキャナは、該制御信号に含まれる各パルスのパルス幅をパルス波形の遷移時間よりも狭めて、各パルスのピークレベルを設定する。
【発明の効果】
【００１６】
本発明の第１面によれば、ライトスキャナは二連のパルスを含む制御信号を走査線に供給して第１補正期間及び第２補正期間とその間の補正中間期間を設けている。サンプリングトランジスタは、第１補正期間で保持容量に対する補正量の書き込みを行い、補正中間期間で保持容量に対する補正量の書き込みを加速化し、第２補正期間で保持容量に対する補正量の書き込みを確定している。この様に補正期間を少なくとも前後に分け、間の補正中間期間で補正量の書き込みを加速化している。これにより、全体の補正時間を短縮することができ、表示装置の高精細化及び高密度化に対応することができる。
【００１７】
本発明の第２面によれば、ライトスキャナは、ピークレベルが異なる少なくとも二連のパルスを含む制御信号を走査線に供給している。サンプリングトランジスタは、そのゲートに印加される二連のパルスのピークレベルに従い、そのソースに印加される映像信号のレベルに応じてオンオフ動作し、以って映像信号のレベルに応じて移動度補正時間を自動的に調整している。これにより映像信号のレベルに応じ移動度補正時間を最適に自動調整することが可能となり、映像信号の全階調で高いユニフォーミティの画像表示を実現することができる。
【発明を実施するための最良の形態】
【００１８】
以下図面を参照して本発明の実施の形態を詳細に説明する。図１は本発明にかかる表示装置の全体構成を示すブロック図である。図示する様に、本表示装置は基本的に画素アレイ部１とスキャナ部と信号部とで構成されている。スキャナ部と信号部とで駆動部を構成する。画素アレイ部１は、行状に配された第１走査線ＷＳ、第２走査線ＤＳ、第３走査線ＡＺ１及び第４走査線ＡＺ２と、列状に配された信号線ＳＬと、これらの走査線ＷＳ，ＤＳ，ＡＺ１，ＡＺ２及び信号線ＳＬに接続した行列状の画素回路２と、各画素回路２の動作に必要な第１電位Ｖｓｓ１，第２電位Ｖｓｓ２及び第３電位ＶＤＤを供給する複数の電源線とからなる。信号部は水平セレクタ３からなり、信号線ＳＬに映像信号を供給する。スキャナ部は、ライトスキャナ４、ドライブスキャナ５、第一補正用スキャナ７１及び第二補正用スキャナ７２からなり、それぞれ第１走査線ＷＳ、第２走査線ＤＳ、第３走査線ＡＺ１及び第４走査線ＡＺ２に制御信号を供給して順次行毎に画素回路２を走査する。
【００１９】
図２は、図１に示した画像表示装置に組み込まれる画素の構成を示す回路図である。図示する様に画素回路２は、サンプリングトランジスタＴｒ１と、ドライブトランジスタＴｒｄと、第１スイッチングトランジスタＴｒ２と、第２スイッチングトランジスタＴｒ３と、第３スイッチングトランジスタＴｒ４と、保持容量Ｃｓと、発光素子ＥＬとを含む。サンプリングトランジスタＴｒ１は、所定のサンプリング期間に走査線ＷＳから供給される制御信号に応じ導通して信号線ＳＬから供給された映像信号の信号電位を保持容量Ｃｓにサンプリングする。保持容量Ｃｓは、サンプリングされた映像信号の信号電位に応じてドライブトランジスタＴｒｄのゲートＧに入力電圧Ｖｇｓを印加する。ドライブトランジスタＴｒｄは、入力電圧Ｖｇｓに応じた出力電流Ｉｄｓを発光素子ＥＬに供給する。発光素子ＥＬは、所定の発光期間中ドライブトランジスタＴｒｄから供給される出力電流Ｉｄｓにより映像信号の信号電位に応じた輝度で発光する。
【００２０】
第１スイッチングトランジスタＴｒ２は、サンプリング期間（映像信号書込期間）に先立ち走査線ＡＺ１から供給される制御信号に応じ導通してドライブトランジスタＴｒｄの制御端であるゲートＧを第１電位Ｖｓｓ１に設定する。第２スイッチングトランジスタＴｒ３は、サンプリング期間に先立ち走査線ＡＺ２から供給される制御信号に応じ導通してドライブトランジスタＴｒｄの一方の電流端であるソースＳを第２電位Ｖｓｓ２に設定する。第３スイッチングトランジスタＴｒ４は、サンプリング期間に先立ち走査線ＤＳから供給される制御信号に応じ導通してドライブトランジスタＴｒｄの他方の電流端であるドレインを第３電位ＶＤＤに接続し、以ってドライブトランジスタＴｒｄの閾電圧Ｖｔｈに相当する電圧を保持容量Ｃｓに保持させて閾電圧Ｖｔｈの影響を補正する。さらにこの第３スイッチングトランジスタＴｒ４は、発光期間に再び走査線ＤＳから供給される制御信号に応じ導通してドライブトランジスタＴｒｄを第３電位ＶＤＤに接続して出力電流Ｉｄｓを発光素子ＥＬに流す。
【００２１】
以上の説明から明らかな様に、本画素回路２は、５個のトランジスタＴｒ１ないしＴｒ４及びＴｒｄと１個の保持容量Ｃｓと１個の発光素子ＥＬとで構成されている。トランジスタＴｒ１〜Ｔｒ３とＴｒｄはＮチャネル型のポリシリコンＴＦＴである。トランジスタＴｒ４のみＰチャネル型のポリシリコンＴＦＴである。但し本発明はこれに限られるものではなく、Ｎチャネル型とＰチャネル型のＴＦＴを適宜混在させることができる。発光素子ＥＬは例えばアノード及びカソードを備えたダイオード型の有機ＥＬデバイスである。但し本発明はこれに限られるものではなく、発光素子は一般的に電流駆動で発光する全てのデバイスを含む。
【００２２】
図３は、図２に示した画像表示装置から画素回路２の部分のみを取り出した模式図である。理解を容易にするため、サンプリングトランジスタＴｒ１によってサンプリングされる映像信号の信号電位Ｖｓｉｇや、ドライブトランジスタＴｒｄの入力電圧Ｖｇｓ及び出力電流Ｉｄｓ、さらには発光素子ＥＬが有する容量成分Ｃｏｌｅｄなどを書き加えてある。以下図３に基づいて、本発明にかかる画素回路２の動作を説明する。
【００２３】
図４は、図３に示した画素回路のタイミングチャートである。このタイミングチャートは、本発明の基になった先行開発にかかる駆動方式を表している。本発明の背景を明らかにし且つ理解を容易にするため、まずこの先行開発の駆動方式に付き、図４のタイミングチャートを参照しながら、本発明の一部として具体的に説明する。図４は、時間軸Ｔに沿って各走査線ＷＳ，ＡＺ１，ＡＺ２及びＤＳに印加される制御信号の波形を表してある。表記を簡略化する為、制御信号も対応する走査線の符号と同じ符号で表してある。トランジスタＴｒ１，Ｔｒ２，Ｔｒ３はＮチャネル型なので、走査線ＷＳ，ＡＺ１，ＡＺ２がそれぞれハイレベルの時オンし、ローレベルの時オフする。一方トランジスタＴｒ４はＰチャネル型なので、走査線ＤＳがハイレベルの時オフし、ローレベルの時オンする。なおこのタイミングチャートは、各制御信号ＷＳ，ＡＺ１，ＡＺ２，ＤＳの波形と共に、ドライブトランジスタＴｒｄのゲートＧの電位変化及びソースＳの電位変化も表してある。
【００２４】
図４のタイミングチャートではタイミングＴ１〜Ｔ８までを１フィールド（１ｆ）としてある。１フィールドの間に画素アレイの各行が一回順次走査される。タイミングチャートは、１行分の画素に印加される各制御信号ＷＳ，ＡＺ１，ＡＺ２，ＤＳの波形を表してある。
【００２５】
当該フィールドが始まる前のタイミングＴ０で、全ての制御線号ＷＳ，ＡＺ１，ＡＺ２，ＤＳがローレベルにある。したがってＮチャネル型のトランジスタＴｒ１，Ｔｒ２，Ｔｒ３はオフ状態にある一方、Ｐチャネル型のトランジスタＴｒ４のみオン状態である。したがってドライブトランジスタＴｒｄはオン状態のトランジスタＴｒ４を介して電源ＶＤＤに接続しているので、所定の入力電圧Ｖｇｓに応じて出力電流Ｉｄｓを発光素子ＥＬに供給している。したがってタイミングＴ０で発光素子ＥＬは発光している。この時ドライブトランジスタＴｒｄに印加される入力電圧Ｖｇｓは、ゲート電位（Ｇ）とソース電位（Ｓ）の差で表される。
【００２６】
当該フィールドが始まるタイミングＴ１で、制御信号ＤＳがローレベルからハイレベルに切り替わる。これによりスイッチングトランジスタＴｒ４がオフし、ドライブトランジスタＴｒｄは電源ＶＤＤから切り離されるので、発光が停止し非発光期間に入る。したがってタイミングＴ１に入ると、全てのトランジスタＴｒ１〜Ｔｒ４がオフ状態になる。
【００２７】
続いてタイミングＴ２に進むと、制御信号ＡＺ１及びＡＺ２がハイレベルになるので、スイッチングトランジスタＴｒ２及びＴｒ３がオンする。この結果、ドライブトランジスタＴｒｄのゲートＧが基準電位Ｖｓｓ１に接続し、ソースＳが基準電位Ｖｓｓ２に接続される。ここでＶｓｓ１−Ｖｓｓ２＞Ｖｔｈを満たしており、Ｖｓｓ１−Ｖｓｓ２＝Ｖｇｓ＞Ｖｔｈとする事で、その後タイミングＴ３で行われるＶｔｈ補正の準備を行う。換言すると期間Ｔ２‐Ｔ３は、ドライブトランジスタＴｒｄのリセット期間に相当する。また、発光素子ＥＬの閾電圧をＶｔｈＥＬとすると、ＶｔｈＥＬ＞Ｖｓｓ２に設定されている。これにより、発光素子ＥＬにはマイナスバイアスが印加され、いわゆる逆バイアス状態となる。この逆バイアス状態は、後で行うＶｔｈ補正動作及び移動度補正動作を正常に行うために必要である。
【００２８】
タイミングＴ３では制御信号ＡＺ２をローレベルにし且つ直後制御信号ＤＳもローレベルにしている。これによりトランジスタＴｒ３がオフする一方トランジスタＴｒ４がオンする。この結果ドレイン電流Ｉｄｓが保持容量Ｃｓに流れ込み、Ｖｔｈ補正動作を開始する。この時ドライブトランジスタＴｒｄのゲートＧはＶｓｓ１に保持されており、ドライブトランジスタＴｒｄがカットオフするまで電流Ｉｄｓが流れる。カットオフするとドライブトランジスタＴｒｄのソース電位（Ｓ）はＶｓｓ１−Ｖｔｈとなる。ドレイン電流がカットオフした後のタイミングＴ４で制御信号ＤＳを再びハイレベルに戻し、スイッチングトランジスタＴｒ４をオフする。さらに制御信号ＡＺ１もローレベルに戻し、スイッチングトランジスタＴｒ２もオフする。この結果、保持容量ＣｓにＶｔｈが保持固定される。この様にタイミングＴ３‐Ｔ４はドライブトランジスタＴｒｄの閾電圧Ｖｔｈを検出する期間である。ここでは、この検出期間Ｔ３‐Ｔ４をＶｔｈ補正期間と呼んでいる。
【００２９】
この様にＶｔｈ補正を行った後タイミングＴ５で制御信号ＷＳをハイレベルに切り替え、サンプリングトランジスタＴｒ１をオンして映像信号Ｖｓｉｇを保持容量Ｃｓに書き込む。発光素子ＥＬの等価容量Ｃｏｌｅｄに比べて保持容量Ｃｓは充分に小さい。この結果、映像信号Ｖｓｉｇのほとんど大部分が保持容量Ｃｓに書き込まれる。正確には、Ｖｓｓ１に対するＶｓｉｇの差分Ｖｓｉｇ−Ｖｓｓ１が保持容量Ｃｓに書き込まれる。したがってドライブトランジスタＴｒｄのゲートＧとソースＳ間の電圧Ｖｇｓは、先に検出保持されたＶｔｈと今回サンプリングされたＶｓｉｇ−Ｖｓｓ１を加えたレベル（Ｖｓｉｇ−Ｖｓｓ１＋Ｖｔｈ）となる。以降説明簡易化の為Ｖｓｓ１＝０Ｖとすると、ゲート／ソース間電圧Ｖｇｓは図４のタイミングチャートに示すようにＶｓｉｇ＋Ｖｔｈとなる。かかる映像信号Ｖｓｉｇのサンプリングは制御信号ＷＳがローレベルに戻るタイミングＴ７まで行われる。すなわちタイミングＴ５‐Ｔ７がサンプリング期間（映像信号書込期間）に相当する。
【００３０】
サンプリング期間の終了するタイミングＴ７より前のタイミングＴ６で制御信号ＤＳがローレベルとなりスイッチングトランジスタＴｒ４がオンする。これによりドライブトランジスタＴｒｄが電源ＶＤＤに接続されるので、画素回路は非発光期間から発光期間に進む。この様にサンプリングトランジスタＴｒ１がまだオン状態で且つスイッチングトランジスタＴｒ４がオン状態に入った期間Ｔ６‐Ｔ７で、ドライブトランジスタＴｒｄの移動度補正を行う。即ち本先行開発例では、サンプリング期間の後部分と発光期間の先頭部分とが重なる期間Ｔ６‐Ｔ７で移動度補正を行っている。なお、この移動度補正を行う発光期間の先頭では、発光素子ＥＬは実際には逆バイアス状態にあるので発光する事はない。この移動度補正期間Ｔ６‐Ｔ７では、ドライブトランジスタＴｒｄのゲートＧが映像信号Ｖｓｉｇのレベルに固定された状態で、ドライブトランジスタＴｒｄにドレイン電流Ｉｄｓが流れる。ここでＶｓｓ１−Ｖｔｈ＜ＶｔｈＥＬと設定しておく事で、発光素子ＥＬは逆バイアス状態におかれる為、ダイオード特性ではなく単純な容量特性を示すようになる。よってドライブトランジスタＴｒｄに流れる電流Ｉｄｓは保持容量Ｃｓと発光素子ＥＬの等価容量Ｃｏｌｅｄの両者を結合した容量Ｃ＝Ｃｓ＋Ｃｏｌｅｄに書き込まれていく。これによりドライブトランジスタＴｒｄのソース電位（Ｓ）は上昇していく。図４のタイミングチャートではこの上昇分をΔＶで表してある。この上昇分ΔＶは結局保持容量Ｃｓに保持されたゲート／ソース間電圧Ｖｇｓから差し引かれる事になるので、負帰還をかけた事になる。この様にドライブトランジスタＴｒｄの出力電流Ｉｄｓを同じくドライブトランジスタＴｒｄの入力電圧Ｖｇｓに負帰還する事で、移動度μを補正する事が可能である。なお負帰還量ΔＶは移動度補正期間Ｔ６‐Ｔ７の時間幅ｔを調整する事で最適化可能である。
【００３１】
タイミングＴ７では制御信号ＷＳがローレベルとなりサンプリングトランジスタＴｒ１がオフする。この結果ドライブトランジスタＴｒｄのゲートＧは信号線ＳＬから切り離される。映像信号Ｖｓｉｇの印加が解除されるので、ドライブトランジスタＴｒｄのゲート電位（Ｇ）は上昇可能となり、ソース電位（Ｓ）と共に上昇していく。その間保持容量Ｃｓに保持されたゲート／ソース間電圧Ｖｇｓは（Ｖｓｉｇ−ΔＶ＋Ｖｔｈ）の値を維持する。ソース電位（Ｓ）の上昇に伴い、発光素子ＥＬの逆バイアス状態は解消されるので、出力電流Ｉｄｓの流入により発光素子ＥＬは実際に発光を開始する。この時のドレイン電流Ｉｄｓ対ゲート電圧Ｖｇｓの関係は、先のトランジスタ特性式１のＶｇｓにＶｓｉｇ−ΔＶ＋Ｖｔｈを代入する事で、以下の式２のように与えられる。
Ｉｄｓ＝ｋμ（Ｖｇｓ−Ｖｔｈ）２＝ｋμ（Ｖｓｉｇ−ΔＶ）２・・・式２
上記式２において、ｋ＝（１／２）（Ｗ／Ｌ）Ｃｏｘである。この特性式２からＶｔｈの項がキャンセルされており、発光素子ＥＬに供給される出力電流ＩｄｓはドライブトランジスタＴｒｄの閾電圧Ｖｔｈに依存しない事が分かる。基本的にドレイン電流Ｉｄｓは映像信号の信号電圧Ｖｓｉｇによって決まる。換言すると、発光素子ＥＬは映像信号Ｖｓｉｇに応じた輝度で発光する事になる。その際Ｖｓｉｇは負帰還量ΔＶで補正されている。この補正量ΔＶは丁度特性式２の係数部に位置する移動度μの効果を打ち消すように働く。したがって、ドレイン電流Ｉｄｓは実質的に映像信号Ｖｓｉｇのみに依存する事になる。
【００３２】
最後にタイミングＴ８に至ると制御信号ＤＳがハイレベルとなってスイッチングトランジスタＴｒ４がオフし、発光が終了すると共に当該フィールドが終わる。この後次のフィールドに移って再びＶｔｈ補正動作、移動度補正動作及び発光動作が繰り返される事になる。
【００３３】
図５は、移動度補正期間Ｔ６‐Ｔ７における画素回路２の状態を示す回路図である。図示するように、移動度補正期間Ｔ６‐Ｔ７では、サンプリングトランジスタＴｒ１及びスイッチングトランジスタＴｒ４がオンしている一方、残りのスイッチングトランジスタＴｒ２及びＴｒ３がオフしている。この状態でドライブトランジスタＴｒ４のソース電位（Ｓ）はＶｓｓ１−Ｖｔｈである。このソース電位（Ｓ）は発光素子ＥＬのアノード電位でもある。前述したようにＶｓｓ１−Ｖｔｈ＜ＶｔｈＥＬと設定しておく事で、発光素子ＥＬは逆バイアス状態におかれ、ダイオード特性ではなく単純な容量特性を示す事になる。よってドライブトランジスタＴｒｄに流れる電流Ｉｄｓは保持容量Ｃｓと発光素子ＥＬの等価容量Ｃｏｌｅｄとの合成容量Ｃ＝Ｃｓ＋Ｃｏｌｅｄに流れ込む事になる。換言すると、ドレイン電流Ｉｄｓの一部が保持容量Ｃｓに負帰還され、移動度の補正が行われる。
【００３４】
図６は上述したトランジスタ特性式２をグラフ化したものであり、縦軸にＩｄｓを取り横軸にＶｓｉｇを取ってある。このグラフの下方に特性式２も合わせて示してある。図６のグラフは、画素１と画素２を比較した状態で特性カーブを描いてある。画素１のドライブトランジスタの移動度μは相対的に大きい。逆に画素２に含まれるドライブトランジスタの移動度μは相対的に小さい。この様にドライブトランジスタをポリシリコン薄膜トランジスタなどで構成した場合、画素間で移動度μがばらつく事は避けられない。例えば両画素１，２に同レベルの映像信号の信号電位Ｖｓｉｇを書き込んだ場合、何ら移動度の補正を行わないと、移動度μの大きい画素１に流れる出力電流Ｉｄｓ１´は、移動度μの小さい画素２に流れる出力電流Ｉｄｓ２´に比べて大きな差が生じてしまう。この様に移動度μのばらつきに起因して出力電流Ｉｄｓの間に大きな差が生じるので、スジムラが発生し画面のユニフォーミティを損なう事になる。
【００３５】
そこで本先行開発例では出力電流を入力電圧側に負帰還させる事で移動度のばらつきをキャンセルしている。先のトランジスタ特性式１から明らかなように、移動度が大きいとドレイン電流Ｉｄｓが大きくなる。したがって負帰還量ΔＶは移動度が大きいほど大きくなる。図６のグラフに示すように、移動度μの大きな画素１の負帰還量ΔＶ１は移動度の小さな画素２の負帰還量ΔＶ２に比べて大きい。したがって、移動度μが大きいほど負帰還が大きくかかる事となって、ばらつきを抑制する事が可能である。図示するように、移動度μの大きな画素１でΔＶ１の補正をかけると、出力電流はＩｄｓ１´からＩｄｓ１まで大きく下降する。一方移動度μの小さな画素２の補正量ΔＶ２は小さいので、出力電流Ｉｄｓ２´はＩｄｓ２までそれ程大きく下降しない。結果的に、Ｉｄｓ１とＩｄｓ２は略等しくなり、移動度のばらつきがキャンセルされる。この移動度のばらつきのキャンセルは黒レベルから白レベルまでＶｓｉｇの全範囲で行われるので、画面のユニフォーミティは極めて高くなる。以上をまとめると、移動度の異なる画素１と２があった場合、移動度の大きい画素１の補正量ΔＶ１は移動度の小さい画素２の補正量ΔＶ２に対して小さくなる。つまり移動度が大きいほどΔＶが大きくＩｄｓの減少値は大きくなる。これにより移動度の異なる画素電流値は均一化され、移動度のばらつきを補正する事ができる。
【００３６】
以下参考の為、上述した移動度補正の数値解析を行う。図５に示したように、トランジスタＴｒ１及びＴｒ４がオンした状態で、ドライブトランジスタＴｒｄのソース電位を変数Ｖに取って解析を行う。ドライブトランジスタＴｒｄのソース電位（Ｓ）をＶとすると、ドライブトランジスタＴｒｄを流れるドレイン電流Ｉｄｓは以下の式３に示す通りである。
【数１】
0004433039.tif 000002
【００３７】
またドレイン電流Ｉｄｓと容量Ｃ（＝Ｃｓ＋Ｃｏｌｅｄ）の関係により、以下の式４に示す様にＩｄｓ＝ｄＱ／ｄｔ＝ＣｄＶ／ｄｔが成り立つ。
【数２】
0004433039.tif 000003
【００３８】
式４に式３を代入して両辺積分する。ここで、ソース電圧Ｖ初期状態は−Ｖｔｈであり、移動度ばらつき補正時間（Ｔ６‐Ｔ７）をｔとする。この微分方程式を解くと、移動度補正時間ｔに対する画素電流が以下の数式５のように与えられる。
【数３】
0004433039.tif 000004
【００３９】
移動度補正に関しては、最適な移動度補正時間は必ずしも一定ではなく、映像信号の信号レベル（信号電圧）に応じて最適移動度補正時間は変化する。図７は、この最適移動度補正時間と信号電圧の関係を示すグラフである。図から明らかなように、信号電圧が白レベルで高い時、最適移動度補正時間は比較的短い。信号電圧がグレーレベルでは最適移動度補正時間も長くなり、さらにブラックレベルでは最適移動度補正時間が一層延長する傾向にある。前述したように、移動度補正期間中、保持容量に負帰還する補正量ΔＶは信号電圧Ｖｓｉｇに比例している。信号電圧が高いとその分負帰還量も大きくなるので、最適移動度補正時間は短くなる傾向にある。逆に信号電圧が下がるとドライブトランジスタの電流供給能力が下がるため、十分な補正に必要な最適移動度補正時間は延びる傾向にある。
【００４０】
そこで、信号線ＳＬに供給される映像信号の信号電位Ｖｓｉｇが高いとき補正時間ｔが短くなる一方、信号線ＳＬに供給される映像信号の信号電位Ｖｓｉｇが低いとき補正時間ｔが長くなるように、自動的にサンプリングトランジスタＴｒ１のオフタイミングを調整する方式が先行開発されており、この原理を図８に示す。
【００４１】
図８の波形図は、移動度補正期間ｔを規定するスイッチングトランジスタＴｒ４のオンタイミング及びサンプリングトランジスタＴｒ１のオフタイミングを律する、制御信号ＤＳの立下がり波形及び制御信号ＷＳの立下り波形を表している。スイッチングトランジスタＴｒ４のゲートに印加される制御信号ＤＳが動作点ＶＤＤ−｜Ｖｔｐ｜を下回った時点で、スイッチングトランジスタＴｒ４はオンし、移動度補正時間が開始する。ここで、ＶＤＤはスイッチングトランジスタＴｒ４のソースに印加される電圧で、ＶｔｐはスイッチングトランジスタＴｒ４の閾電圧である。
【００４２】
一方サンプリングトランジスタＴｒ１のゲートには制御信号ＷＳが印加されている。その立下り波形は図示する様に、始め電源電位Ｖｃｃから急峻に下がり、その後接地電位Ｖｓｓに向かって緩やかに低下していく。ここでサンプリングトランジスタＴｒ１のソースに印加される信号電位Ｖｓｉｇ１が白レベルで高い時サンプリングトランジスタＴｒ１のゲート電位は動作点Ｖｓｉｇ１＋Ｖｔｎまで速やかに降下するので、最適移動度補正時間ｔ１は短くなる。ここで、Ｖｓｉｇ１はサンプリングトランジスタＴｒ１のソースに印加される電圧で、ＶｔｎはサンプリングトランジスタＴｒ１の閾電圧である。信号電位がグレーレベルのＶｓｉｇ２になると、ゲート電位が動作点Ｖｓｉｇ２＋ＶｔｎまでＶｃｃから下がった時点でサンプリングトランジスタＴｒ１がオフする。その結果グレーレベルのＶｓｉｇ２に対応した最適補正時間ｔ２は、ｔ１に比べて長くなる。さらに信号電位がブラックレベルに近いＶｓｉｇ３になると、最適移動度補正時間ｔ３は、グレーレベルの時の最適移動度補正時間ｔ２に比べ一層長くなる。
【００４３】
各階調ごとに最適な移動度補正時間を自動的に設定するためには、走査線ＷＳに印加される制御信号パルスの立下りを図示のように最適な形状に波形整形する必要がある。このために先行開発例では、外部のモジュール（パルスジェネレータ）から供給される電源パルスを抜き取る方式のライトスキャナを採用しており、図９を参照してこれを説明する。図９は、ライトスキャナ４の出力部３段分（Ｎ−１段、Ｎ段、Ｎ＋１段）と、これに接続される画素アレイ部１の３行分（３ライン分）を模式的に表している。
【００４４】
ライトスキャナ４はシフトレジスタＳ／Ｒで構成されており、外部から入力されるクロック信号に応じて動作し、同じく外部から入力されるスタート信号を順次転走することで、各段毎に順次信号を出力している。シフトレジスタＳ／Ｒの各段にはＮＡＮＤ素子が接続されており、隣り合う段のＳ／Ｒから出力された順次信号をＮＡＮＤ処理して、矩形波形の入力信号ＩＮを生成している。この矩形波形はインバータを介して出力バッファ４Ｂに入力される。この出力バッファ４Ｂはシフトレジスタ４Ｂ側から供給される入力信号ＩＮに応じて動作し、最終的な制御信号ＷＳを対応する画素アレイ部１の走査線ＷＳに出力信号ＯＵＴとして供給している。
【００４５】
出力バッファ４Ｂは電源電位Ｖｃｃと接地電位Ｖｓｓとの間に直列接続された一対のスイッチング素子からなる。本実施形態はこの出力バッファ４Ｂがインバータ構成となっており、一方のスイッチング素子がＰチャネル型トランジスタＴｒＰ（典型的にはＰＭＯＳトランジスタ）で、他方がＮチャネル型トランジスタＴｒＮ（典型的にはＮＭＯＳトランジスタ）からなる。なお各出力バッファ４Ｂに接続される画素アレイ部１側の各ラインは、等価回路的に抵抗成分Ｒと容量成分Ｃで表してある。
【００４６】
本例は、出力バッファ４Ｂが外部のパルスモジュール４Ｐから電源ラインに供給される電源パルスを抜き取って制御信号ＷＳの決定波形を作る構成となっている。前述した様にこの出力バッファ４Ｂはインバータ構成で、電源ラインと接地電位Ｖｓｓとの間にＰチャネルトランジスタＴｒＰとＮチャネルトランジスタＴｒＮが直列に接続されている。シフトレジスタＳ／Ｒ側からの入力信号ＩＮに応じて出力バッファのＰチャネルトランジスタＴｒＰがオンしたとき、電源ラインに供給されていた電源パルスの立下り波形を取り出し、これを制御信号ＷＳの決定波形として、画素アレイ部１側に供給している。この様に出力バッファ４Ｂとは別に決定波形を含むパルスを外部モジュール４Ｐで作り、これを出力バッファ４Ｂの電源ラインに供給することで、所望の決定波形の制御信号ＷＳを作り出すことが可能である。この場合出力バッファ４Ｂは、優勢スイッチング素子側となるＰチャネルトランジスタＴｒＰがオンして劣勢スイッチング素子側となるＮチャネルトランジスタＴｒＮがオフした時、外部から供給された電源パルスの立下り波形を取り出し、制御信号ＷＳの決定波形ＯＵＴとして出力している。
【００４７】
図１０は、図９に示したライトスキャナの動作説明に供するタイミングチャートである。図示するように、１Ｈ周期で変動する電源パルスの列が外部のモジュールからライトスキャナの出力バッファの電源ラインに入力されて来る。これと合わせて、出力バッファを構成するインバータに入力パルスＩＮが印加される。タイミングチャートは、Ｎ−１段目及びＮ段目のインバータに供給される入力パルスＩＮを表している。これと時系列を合わせて、Ｎ−１段目及びＮ段目から供給される出力パルスＯＵＴを表してある。この出力パルスＯＵＴは対応するラインの走査線ＷＳに印加される制御信号である。
【００４８】
タイミングチャートから明らかなように、ライトスキャナの各段の出力バッファは、入力パルスＩＮに応じて電源パルスを抜き取り、そのまま出力パルスＯＵＴとして対応する走査線ＷＳに供給している。電源パルスは外部のモジュールから供給されており、その立下り波形は予め最適に設定可能である。ライトスキャナはこの立下り波形をそのまま抜き取って制御信号パルスとしている。
【００４９】
図１１は、図９に示したライトスキャナで生成される制御信号ＷＳを示す波形図である。ドライブスキャナから出力される制御信号ＤＳも併せて表示している。図示するように、制御信号ＤＳが立下がってＰチャネル型のスイッチングトランジスタＴｒ４がオンしてから移動度補正時間が開始し、制御信号ＷＳが立下がりＮチャネル型のサンプリングトランジスタＴｒ１がオフする時点で移動度補正時間が終了する。スイッチングトランジスタＴｒ４がオンするタイミングは、制御信号ＤＳの立下り波形がＶＤＤ−｜Ｖｔｐ｜を下回った時点である。なおＶｔｐはＰチャネル型のスイッチングトランジスタＴｒ４の閾電圧を表している。一方サンプリングトランジスタＴｒ１がオフするタイミングは、制御信号ＷＳの立下りがＶｓｉｇ＋Ｖｔｎを下回った時点である。ここでＶｔｎはＮチャネル型のサンプリングトランジスタＴｒ１の閾電圧を表している。サンプリングトランジスタＴｒ１のソースには信号線から信号電位Ｖｓｉｇが印加され、ゲートには走査線ＷＳから制御信号ＷＳが印加されている。ソース電位に対してゲート電位がＶｔｎ分を残して下回ったとき、サンプリングトランジスタＴｒ１はオフすることになる。
【００５０】
ところで図９に示した先行開発にかかるライトスキャナの出力バッファ４Ｂは、入力信号ＩＮがローベルの時ＰチャネルトランジスタＴｒＰを介して電源パルスを抜き取っている。ここで抜き取られる電源パルスのレベルが小さくなるにつれ出力バッファ４ＢのＰチャネルトランジスタＴｒＰの動作Ｖｇｓが小さくなってしまう。動作Ｖｇｓが小さくなるにつれ、抜き取られた制御信号ＷＳのパルストランジェントは、ＰチャネルトランジスタＴｒＰの特性ばらつきの影響を受け易くなる。特にＰチャネルトランジスタＴｒＰの閾電圧のばらつきの影響を受け、制御信号ＷＳのトランジェントτにばらつきが生じる。図１１の波形図は制御信号ＷＳの立下り波形Ａが標準位相で立下がり波形Ｂはτが大きく変化したワーストケースを表している。図から明らかなように制御信号ＷＳの立下り波形が標準位相のときに比べワーストケースでは移動度補正時間が長くなっている。この様に電源パルスを抜き取って制御信号ＷＳを生成する方式のライトスキャナは、製造プロセスの影響を受けて制御信号ＷＳのトランジェントが走査線ごとにばらつくため移動度補正時間も走査線ごとにばらつきが生じる。これが画面上で水平方向の輝度むら（筋）となって現れ、画面のユニフォーミティを損ねている。
【００５１】
また先行開発にかかるライトスキャナは、図８の波形図に示したように、制御信号ＷＳの立下り波形に積極的にスロープをつけて、映像信号の輝度レベルに応じた移動度補正時間の最適化を図っている。図８に示したように、映像信号が比較的高いレベルＶｓｉｇ１にあるとき、最適移動度補正時間ｔ１は短くなり、逆に映像信号が比較的低いレベルＶｓｉｇ３のとき、最適移動度補正時間ｔ３は長くなる。映像信号のレベルが下がるにつれて、最適移動度補正時間ｔが長くなるため、表示パネルの動作の高速化に対応できない場合がある。パネルの高精細化及び高密度化に伴い、その動作が高速化すると、水平走査期間も短縮化される。短縮化された水平走査期間内で移動度補正動作を完了させなければならず、先行開発方式では低輝度で最適移動度補正時間ｔが長くなったとき、対応することが困難になってきており、解決すべき課題となっている。
【００５２】
また図９に示した先行開発にかかるライトスキャナは、モジュールが電源パルスを１水平走査周期（１Ｈ）で生成しなければならず、また電源パルスを画素アレイ部側に供給する配線も、全段の負荷が接続されており配線容量が非常に重い。よって電源パルスを供給する外部モジュールはその消費電力が大きくなってしまう。また移動度補正時間の制御のため、安定したパルストランジェントを確保する必要があるが、これにはパルスモジュールの能力を上げる必要がある。この結果モジュール面積の増加を引き起こしていた。モバイル機器のディスプレイ応用では、特に表示装置の低消費電力化が求められており、図９に示した外部モジュールを利用するスキャナ構成では対応が困難になっている。
【００５３】
図１２は、上述した先行開発にかかるライトスキャナの問題点に対処したライトスキャナを示す模式的な回路図である。図１２に示したライトスキャナは、図１及び図２に示した本発明にかかる表示装置の駆動部に組み込まれる。図示するように、ライトスキャナ４はシフトレジスタＳ／Ｒで構成されており、外部から入力されるクロック信号に応じて動作し、同じく外部から入力されるスタート信号を順次転送することで各段ごとに順次信号を出力している。シフトレジスタＳ／Ｒの各段にはＮＡＮＤ素子が接続されており、隣り合う段のＳ／Ｒから出力された順次信号をＮＡＮＤ処理して、制御信号ＷＳの元になる入力信号を生成している。この入力信号は出力バッファ４Ｂに供給される。この出力バッファ４ＢはシフトレジスタＳ／Ｒ側から供給される入力信号に応じて動作し、最終的な制御信号ＷＳを対応する画素アレイ部の走査線ＷＳに供給している。なお図では各走査線ＷＳの配線抵抗をＲで表し、各走査線ＷＳに接続している画素の容量をＣで表してある。
【００５４】
出力バッファ４Ｂは電源電位Ｖｃｃと接地電位Ｖｓｓとの間に直列接続された一対のスイッチング素子からなる。本例はこの出力バッファ４Ｂがインバータ構成となっており、一方のスイッチング素子がＰチャネルトランジスタＴｒＰで、他方がＮチャネルトランジスタＴｒＮからなる。インバータは対応するシフトレジスタＳ／Ｒの段からＮＡＮＤ素子を介して供給された入力信号を反転し、制御信号として対応する走査線ＷＳに出力している。本発明のライトスキャナは、何ら外部のパルス電源を用いていない。シフトレジスタＳ／Ｒから供給される入力信号を出力バッファ４Ｂで反転増幅し、対応する走査線ＷＳに制御信号として供給している。ライトスキャナは外部から入力されるスタート信号を順次転送することで、制御信号の基になる入力信号を生成している。基本的に制御信号の波形はスタート信号と同一である。本ライトスキャナは外部のパルス電源を用いることなく、通常のスキャナと同様にスタートパルスを順次転送することで制御信号を得ており、消費電力を低く抑えることができる。
【００５５】
本発明の第１の特徴事項として図１２に示したライトスキャナ４は、少なくとも二連のパルスを含む制御信号を走査線ＷＳに供給して第１補正期間及び第２補正期間とその間の補正中間期間を設けている。これにより各画素のサンプリングトランジスタは、第１補正期間で保持容量に対する補正量の書き込みを行い、補正中間期間で保持容量に対する補正量の書き込みを加速し、第２補正期間で保持容量に対する補正量の書き込みを確定することができる。移動度補正量の書き込みを加速することで、移動度補正時間を短縮でき、パネルの高速駆動化に対応できる。なおサンプリングトランジスタは補正中間期間において、映像信号のレベルに応じ保持容量に対する補正量の書き込みの加速度合いを自動的に調整し、以って映像信号のレベルに応じた補正量を保持容量に書き込むことができる。具体的には、白レベルの映像信号を書き込む場合に比べ、黒レベルの映像信号を書き込む場合における加速度合いが相対的に高く、これにより黒レベルの映像信号であっても先行開発例と異なり短時間で移動度補正動作を完了することができる。
【００５６】
本発明の第２の特徴として、ライトスキャナ４は、ピークレベルが異なる少なくとも二連のパルスを含む制御信号を走査線ＷＳに供給している。これにより各画素のサンプリングトランジスタは、そのゲートに印加される二連のパルスのピークレベルに従い、そのソースに印加される映像信号のレベルに応じてオンオフ動作し、以って映像信号のレベルに応じて補正時間を自動的に調整することができる。具体的には、ライトスキャナ４は、第１のパルスのピークレベルが第２のパルスのピークレベルよりも高い二連のパルスを含む制御信号ＷＳを走査線ＷＳに供給する。これに応じサンプリングトランジスタは、映像信号のレベルが高いとき（白輝度）第１のパルスに応じてオンし、その間だけ補正量を保持容量に書き込む。逆に映像信号のレベルが低いとき（黒輝度）、第１のパルス及び第２のパルスに応答してそれぞれオンし、これらの間に補正量を保持容量に書き込む。このようにして、映像信号の輝度レベルに応じ、移動度補正時間を自動的に切換え制御することができる。場合によってはライトスキャナ４は、制御信号ＷＳに含まれる各パルスのパルス幅をパルス波形の遷移時間よりも狭めて、各パルスのピークレベルを設定している。
【００５７】
以上の説明から明らかなように、本発明では移動度補正動作を複数回に分割している。分割した補正時間の間にも電流が流れ、加速した移動度の補正が行われる。各動作点での補正時間の合成をもって各階調の移動度補正時間としている。ライトスキャナは電源パルスを抜き取る構成ではなく、もともと二連のパルスを含んだスタートパルスを順次転送することで二連のパルスを含む制御信号を各走査線に供給し、所望の移動度補正動作を分割的に行っている。
【００５８】
図１３は、本発明にかかる表示装置の第１実施形態を示す模式的なタイミングチャートである。理解を容易にするため、図４に示した参考例にかかるタイミングチャートと同様の表記を採用している。なおこの第１実施形態は本発明の第１側面と対応している。
【００５９】
当該フィールドが始まる前のタイミングＴ０で、全ての制御線号ＷＳ，ＡＺ１，ＡＺ２，ＤＳがローレベルにある。したがってＮチャネル型のトランジスタＴｒ１，Ｔｒ２，Ｔｒ３はオフ状態にある一方、Ｐチャネル型のトランジスタＴｒ４のみオン状態である。したがってドライブトランジスタＴｒｄはオン状態のトランジスタＴｒ４を介して電源ＶＤＤに接続しているので、所定の入力電圧Ｖｇｓに応じて出力電流Ｉｄｓを発光素子ＥＬに供給している。したがってタイミングＴ０で発光素子ＥＬは発光している。この時ドライブトランジスタＴｒｄに印加される入力電圧Ｖｇｓは、ゲート電位（Ｇ）とソース電位（Ｓ）の差で表される。
【００６０】
当該フィールドが始まるタイミングＴ１で、制御信号ＤＳがローレベルからハイレベルに切り替わる。これによりスイッチングトランジスタＴｒ４がオフし、ドライブトランジスタＴｒｄは電源ＶＤＤから切り離されるので、発光が停止し非発光期間に入る。したがってタイミングＴ１に入ると、全てのトランジスタＴｒ１〜Ｔｒ４がオフ状態になる。
【００６１】
続いてタイミングＴ２に進むと、制御信号ＡＺ１及びＡＺ２がハイレベルになるので、スイッチングトランジスタＴｒ２及びＴｒ３がオンする。この結果、ドライブトランジスタＴｒｄのゲートＧが基準電位Ｖｓｓ１に接続し、ソースＳが基準電位Ｖｓｓ２に接続される。ここでＶｓｓ１−Ｖｓｓ２＞Ｖｔｈを満たしており、Ｖｓｓ１−Ｖｓｓ２＝Ｖｇｓ＞Ｖｔｈとする事で、その後タイミングＴ３で行われるＶｔｈ補正の準備を行う。換言すると期間Ｔ２‐Ｔ３は、ドライブトランジスタＴｒｄのリセット期間に相当する。また、発光素子ＥＬの閾電圧をＶｔｈＥＬとすると、ＶｔｈＥＬ＞Ｖｓｓ２に設定されている。これにより、発光素子ＥＬにはマイナスバイアスが印加され、いわゆる逆バイアス状態となる。この逆バイアス状態は、後で行うＶｔｈ補正動作及び移動度補正動作を正常に行うために必要である。
【００６２】
タイミングＴ３では制御信号ＡＺ２をローレベルにし且つ直後制御信号ＤＳもローレベルにしている。これによりトランジスタＴｒ３がオフする一方トランジスタＴｒ４がオンする。この結果ドレイン電流Ｉｄｓが保持容量Ｃｓに流れ込み、Ｖｔｈ補正動作を開始する。この時ドライブトランジスタＴｒｄのゲートＧはＶｓｓ１に保持されており、ドライブトランジスタＴｒｄがカットオフするまで電流Ｉｄｓが流れる。カットオフするとドライブトランジスタＴｒｄのソース電位（Ｓ）はＶｓｓ１−Ｖｔｈとなる。ドレイン電流がカットオフした後のタイミングＴ４で制御信号ＤＳを再びハイレベルに戻し、スイッチングトランジスタＴｒ４をオフする。さらに制御信号ＡＺ１もローレベルに戻し、スイッチングトランジスタＴｒ２もオフする。この結果、保持容量ＣｓにＶｔｈが保持固定される。この様にタイミングＴ３‐Ｔ４はドライブトランジスタＴｒｄの閾電圧Ｖｔｈを検出する期間である。ここでは、この検出期間Ｔ３‐Ｔ４をＶｔｈ補正期間と呼んでいる。
【００６３】
この様にＶｔｈ補正を行った後タイミングＴ５で制御信号ＷＳをハイレベルに切り替え、サンプリングトランジスタＴｒ１をオンして映像信号Ｖｓｉｇを保持容量Ｃｓに書き込む。発光素子ＥＬの等価容量Ｃｏｌｅｄに比べて保持容量Ｃｓは充分に小さい。この結果、映像信号Ｖｓｉｇのほとんど大部分が保持容量Ｃｓに書き込まれる。正確には、Ｖｓｓ１に対するＶｓｉｇの差分Ｖｓｉｇ−Ｖｓｓ１が保持容量Ｃｓに書き込まれる。したがってドライブトランジスタＴｒｄのゲートＧとソースＳ間の電圧Ｖｇｓは、先に検出保持されたＶｔｈと今回サンプリングされたＶｓｉｇ−Ｖｓｓ１を加えたレベル（Ｖｓｉｇ−Ｖｓｓ１＋Ｖｔｈ）となる。以降説明簡易化の為Ｖｓｓ１＝０Ｖとすると、ゲート／ソース間電圧Ｖｇｓは図４のタイミングチャートに示すようにＶｓｉｇ＋Ｖｔｈとなる。かかる映像信号Ｖｓｉｇのサンプリングは制御信号ＷＳがローレベルに戻るタイミングＴ７まで行われる。すなわちタイミングＴ５‐Ｔ７がサンプリング期間（映像信号書込期間）に相当する。
【００６４】
サンプリング期間の終了するタイミングＴ７より前のタイミングＴ６で制御信号ＤＳがローレベルとなりスイッチングトランジスタＴｒ４がオンする。これによりドライブトランジスタＴｒｄのドレインが電源ＶＤＤに接続されるので、画素に電流が供給されることになる。この様にサンプリングトランジスタＴｒ１がまだオン状態で且スイッチングトランジスタＴｒ４がオン状態に入った期間Ｔ６−Ｔ７で、ドライブトランジスタＴｒｄの１回目の移動度補正を行う。この第一移動度補正期間Ｔ６‐Ｔ７では、ドライブトランジスタＴｒｄのゲートＧが映像信号Ｖｓｉｇのレベルに固定された状態で、ドライブトランジスタＴｒｄにドレイン電流Ｉｄｓが流れる。ここでＶｓｓ１−Ｖｔｈ＜Ｖｔｈｅｌと設定しておくことで、発光素子ＥＬは逆バイアス状態に置かれるため、ダイオード特性ではなく単純な容量特性を示すようになる。よってドライブトランジスタＴｒｄに流れる電流Ｉｄｓは保持容量Ｃｓと発光素子ＥＬの等価容量Ｃｏｌｅｄの両者を結合した容量Ｃ＝Ｃｓ＋Ｃｏｌｅｄに書き込まれていく。これによりドライブトランジスタＴｒｄのソース電位（Ｓ）は上昇していく。この上昇分は結局保持容量Ｃｓに保持されたゲート／ソース間電圧Ｖｇｓから差し引かれることになるので、負帰還をかけたことになる。この様にドライブトランジスタＴｒｄの出力電流Ｉｄｓを同じくドライブトランジスタＴｒｄの入力電圧Ｖｇｓに負帰還することで、移動度μを補正することが可能である。
【００６５】
タイミングＴ７では制御信号ＷＳがローレベルとなりサンプリングトランジスタＴｒ１が一旦オフする。次のタイミングＴ８で再び制御信号ＷＳがハイレベルになるまで、補正中間期間になる。この補正中間期間Ｔ７−Ｔ８では、ドライブトランジスタＴｒｄのゲートＧは信号線ＳＬから切り離される。映像信号Ｖｓｉｇの印加がゲートから解除されるので、ドライブトランジスタＴｒｄのゲート電位（Ｇ）は上昇可能となり、ソース電位（Ｓ）と共に上昇していく。補正中間期間Ｔ７−Ｔ８に生じるこのブートストラップ動作により、加速された移動度補正動作を行うことができる。即ちこの補正中間期間Ｔ７−Ｔ８では、第一移動度補正期間と同じようにドライブトランジスタＴｒｄのソース電位（Ｓ）が上昇しており、しかもその上昇度合いはゲート電位が抑えられていない分加速される。
【００６６】
タイミングＴ８になると走査線ＷＳに２発目の制御信号パルスが印加され、サンプリングトランジスタＴｒ１が再びオンする。タイミングＴ９で２発目のパルスが解除されるまでの間が、第二移動度補正期間Ｔ８‐Ｔ９になる。この第二移動度補正期間に入ると、サンプリングトランジスタＴｒ１が再びオンして、ドライブトランジスタＴｒｄのゲートＧが映像信号Ｖｓｉｇのレベルに抑えられる。一方ドライブトランジスタＴｒｄのソースＳには引き続き移動度補正動作によって電流が流れ込むため、ソース電位（Ｓ）は上昇を続ける。ただしその上昇速度はゲート電位（Ｇ）がＶｓｉｇに抑えられているため、補正中間期間Ｔ７‐Ｔ８のように加速されることはない。
【００６７】
この様にして第一移動度補正期間Ｔ６‐Ｔ７、補正中間期間Ｔ７‐Ｔ８及び第二移動度補正期間Ｔ８‐Ｔ９が経過すると、ドライブトランジスタＴｒｄのソース電位（Ｓ）はΔＶだけ上昇し、これが合成された移動度補正量となる。
【００６８】
タイミングＴ９では制御信号ＷＳがローレベルとなりサンプリングトランジスタＴｒ１がオフする。この結果ドライブトランジスタＴｒｄのゲートＧは信号線ＳＬから切り離される。映像信号Ｖｓｉｇの印加が解除されるので、ドライブトランジスタＴｒｄのゲート電位（Ｇ）は上昇可能となり、ソース電位（Ｓ）と共に上昇していく。その間保持容量Ｃｓに保持されたゲート／ソース間電圧Ｖｇｓは（Ｖｓｉｇ−ΔＶ＋Ｖｔｈ）の値を維持する。ソース電位（Ｓ）の上昇に伴い、発光素子ＥＬの逆バイアス状態は解消されるので、出力電流Ｉｄｓの流入により発光素子ＥＬは実際に発光を開始する。
【００６９】
最後にタイミングＴ１０に至ると制御信号ＤＳがハイレベルとなってスイッチングトランジスタＴｒ４がオフし、画素が電源電位ＶＤＤから切り離され発光が終了すると共に当該フィールドも終わる。この後次のフィールドに移って再びＶｔｈ補正動作、分割的な移動度補正動作及び発光動作が繰り返されることになる。
【００７０】
図１４は制御信号ＷＳ及びＤＳの波形図であり、特にタイミングＴ６〜タイミングＴ９までの間の波形変化を表している。前述したように制御信号ＷＳはサンプリングトランジスタのゲートに印加される。このサンプリングトランジスタの動作点を白階調と黒階調に分けて表してある。制御信号ＷＳがこの動作点を横切るごとに、サンプリングトランジスタはオン状態とオフ状態が切換わる。同様に制御信号ＤＳはスイッチングトランジスタＴｒ４のゲートに印加される。このスイッチングトランジスタＴｒ４の動作点も表してある。制御信号ＤＳがこの動作点を横切ると、スイッチングトランジスタＴｒ４はオン状態とオフ状態が切換る。本例では制御信号ＷＳが矩形波に近く、立下り及び立上り共に急峻であるため、白階調と黒階調で動作点の差は大きな影響を生じない。
【００７１】
まずタイミングＴ６でサンプリングトランジスタＴｒ４がオン状態にあるときスイッチングトランジスタＴｒ４をオンして移動度補正期間１に入る。続いてタイミングＴ７でサンプリングトランジスタが一旦オフし、移動度補正期間１が終わる。この移動度補正期間１は、図４に示した参考例に比べて短く設定する。
【００７２】
移動度補正期間１が終わったタイミングＴ７以降でも、スイッチングトランジスタＴｒ４はオン状態にある。したがって補正中間期間でも電源電位ＶＤＤからドライブトランジスタに電流が流れ、ドライブトランジスタのソース電位は上昇する。このときドライブトランジスタのゲート電位はハイインピーダンスであるので、ゲート電位も同様に上昇する。ドライブトランジスタが供給する出力電流Ｉｄｓは移動度μに比例するので、これらの電位上昇は移動度に比例することになる。換言すると補正中間期間で加速された移動度補正が行われていることになる。
【００７３】
タイミングＴ８で再びサンプリングトランジスタがオンし、移動度補正期間２に入る。このとき信号電位は移動度補正期間１と同じＶｓｉｇであるため、ドライブトランジスタのゲート電位は移動度補正期間１と同じくＶｓｉｇに戻される。一方補正中間期間では前述したようにゲート電位及びソース電位がブートストラップ効果で共に上昇している。タイミングＴ８でゲート電位のみＶｓｉｇに戻される一方、ソース電位は戻されることなく引き続き上昇を続ける。よってタイミングＴ８でドライブトランジスタのゲート電位がＶｓｉｇに戻された時点で、補正中間期間における加速された移動度補正動作が終了することになる。この補正中間期間にドライブトランジスタから供給される出力電流Ｉｄｓはまだ移動度補正が完了しておらず、完全な補正後の電流に対して大きいが、その割合は高階調に比べ低階調側の方が相対的に大きい。そのため低階調になればなるほど補正中間期間で行われる移動度補正の加速度合いが大きくなる。
【００７４】
最後にタイミングＴ９でサンプリングトランジスタをオフして移動度補正期間２を終了する。以上により各階調の移動度補正量は、第１補正期間おける通常補正量＋第２補正期間における通常補正量＋補正中間期間の加速補正量によって決まる。上述したように低階調ほど補正中間期間での補正加速度が大きいので、同一の時間設定を行っても、各階調に対応した最適補正時間を等価的に得ることができる。即ち階調に応じて移動度補正時間を調整する代わりに、階調に応じて移動度補正の加速度を自動的に調整することで、等価的に階調に応じた移動度補正期間の適応制御を行っていることになる。本発明では外部のパルス電源を用いることなく、スキャナの出力パルスのみを用いて階調に応じた移動度の適応補正ができる。これにより電源パルス抜取り時の補正時間ばらつきなどは生じなくなり、より高いユニフォーミティの画質を低消費電力にて得ることができる。
【００７５】
図１５は、画素の分割的移動度補正動作を示す模式図である。まず第一移動度補正期間（Ｔ６‐Ｔ７）では、各画素２のサンプリングトランジスタＴｒ１及びスイッチングトランジスタＴｒ４は共にオン状態にある。よってドライブトランジスタＴｒｄのゲートにはＶｓｉｇが印加され、ドレインには電源電圧ＶＤＤが印加される。これによりＶｓｉｇに応じたドレイン電流ＩｄｓがドライブトランジスタＴｒｄに流れる。しかし発光素子は逆バイアス状態にあるため、Ｉｄｓは専ら保持容量Ｃｓと発光素子容量Ｃｏｌｅｄの充電に使われる。この第１移動度期間（Ｔ６‐Ｔ７）でドレイン電流ＩｄｓがドライブトランジスタＴｒｄのソースに流れ込むことにより、ソース電位はＶａまで上昇する。
【００７６】
続いて補正中間期間（Ｔ７‐Ｔ８）に入ると、サンプリングトランジスタＴｒ１がオフし、ドライブトランジスタＴｒｄのゲートが信号線ＳＬから切り離され、フローティング状態となる。一方スイッチングトランジスタＴｒ４は引き続きオン状態にあり、ドレイン電流ＩｄｓがドライブトランジスタＴｒｄを流れるので、ソース電位はＶａからΔＶ１だけ上昇する。ブートストラップ動作によりゲート電位もＶｓｉｇからΔＶ１だけ上昇する。この上昇分ΔＶ１はＩｄｓ・ｔ／Ｃで表される。ｔは補正中間期間を表し、ＣはＣｓとＣｏｌｅｄの合成容量である。前述した特性式１で示したようにＩｄｓは移動度μに比例している。よって補正中間期間における補正量ΔＶ１は移動度μに比例しており、移動度補正が行われたことになる。しかもこの補正中間期間ではゲート電位が抑えられていないためソース電位の上昇が速く、加速された移動度補正が行われる。
【００７７】
第二移動度補正期間（Ｔ８‐Ｔ９）になると、再びサンプリングトランジスタＴｒ１がオンし、ドライブトランジスタＴｒｄのゲート電位はＶｓｉｇに戻される。これに対しソース電位はＶａ＋ΔＶ１からさらにΔＶ２だけ上昇する。この補正量ΔＶ２は第二移動度補正期間（Ｔ８−Ｔ９）で追加された分である。ΔＶ２は前述した移動度補正の式５によって決められる。
【００７８】
図１６は、第１実施形態の変形例を表す波形図である。図１４に示した第１実施形態の波形図と同様の表記を採用しており、理解を容易にしている。図１４の第１実施形態は移動度補正期間を２分割して分割的移動度補正を行っている。これに対し本変形例は移動度補正期間を３分割して分割的移動度補正を行っている。Ｔ６‐Ｔ７が移動度補正期間１であり、Ｔ７‐Ｔ８が補正中間期間１であり、Ｔ８‐Ｔ９が移動度補正期間２となり、Ｔ９‐Ｔ１０が補正中間期間２となり、Ｔ１０‐Ｔ１１が移動度補正期間３となっている。この様に本発明の第１側面では、ドライブトランジスタのドレインに電源電圧ＶＤＤを供給した状態で、移動度補正動作を複数回に分割している。これにより補正期間の中間において、加速された移動度補正動作を行うことができ、外部の電源パルスを用いることなく各階調に最適な補正時間を得ることができ、全階調で高いユニフォーミティを得ることが可能となり、パネルモジュールの消費電力も削減することができる。
【００７９】
図１７は、本発明にかかる表示装置の第２実施形態を示すタイミングチャートである。この第２実施形態は本発明の第２側面に対応している。理解を容易にするため、図１３に示した第１実施形態のタイミングチャートと同様の表記を採用している。本実施形態も、第１実施形態と同様に、移動度補正期間を２分割している。即ち第一移動度補正期間Ｔ６‐Ｔ７と第二移動度補正期間Ｔ８‐Ｔ９と両者の間の補正中間期間Ｔ７‐Ｔ８である。制御信号ＷＳは二連のパルスとなっており、それぞれ第一移動度補正期間と第二移動度補正期間を規定している。第１実施形態と異なる点は、二連のパルスのピークレベルを異ならせていることである。サンプリングトランジスタはそのゲートに印加される二連のパルスのピークレベルに従い、そのソース側に印加される映像信号のレベルに応じてオンオフ動作し、もって映像信号のレベルに応じて補正時間を自動的に調整している。具体的には、ライトスキャナは第１のパルスのピークレベルが第２のパルスのピークレベルよりも高い二連のパルスを含む制御信号ＷＳを走査線に供給している。これによりサンプリングトランジスタは、映像信号のレベルが高いとき（白輝度のとき）第１のパルスに応じてオンし、第一移動度補正期間Ｔ６‐Ｔ７の間だけ移動度補正量を保持容量に書き込む。一方映像信号のレベルが低い時（グレー輝度及び黒輝度のとき）サンプリングトランジスタは第１のパルス及び第２のパルスに応答してそれぞれオンし、第一移動度補正期間Ｔ６‐Ｔ７及び第二移動度補正期間Ｔ８‐Ｔ９の間に移動度補正量を保持容量に書き込む。
【００８０】
図１８は、第２実施形態における制御信号ＷＳ及びＤＳの波形図である。特にタイミングＴ６〜タイミングＴ９までの間の波形変化を表している。なお理解を容易にするため図１４に示した第１実施形態の波形図と同様の表記を採用している。異なる点は、制御信号ＷＳに含まれる二連のパルスの内、第２パルスのピークレベルを第１パルスのピークレベルよりも下げていることである。第２パルスのピークレベルは丁度白階調動作点と黒階調動作点の中間に位置している。一方第１パルスのピークレベルは白階調動作点よりも上に位置している。
【００８１】
まず映像信号が白階調レベルにあるとき、タイミングＴ６でスイッチングトランジスタＴｒ４がオンし、移動度補正期間１に入る。この移動度補正期間１はタイミングＴ７でサンプリングトランジスタＴｒ１がオフするまで続く。その後再びタイミングＴ８で制御信号ＷＳは立ち上がるが、そのピークレベルは白階調動作点に達していない。したがってサンプリングトランジスタはオンすることなくそのまま発光期間に移行する。この様に映像信号が白階調レベルの時、移動度補正動作は最初の移動度補正期間（Ｔ６‐Ｔ７）のみで行われることになる。前述したように白階調の場合最適移動度補正時間は短いため、１回の移動度補正動作で十分に移動度のばらつきを補正することができる。
【００８２】
一方映像信号がグレー階調もしくは黒階調のとき、制御信号に含まれる第１パルスに応じてオン状態となり、タイミングＴ６〜タイミングＴ７までの間の移動度補正期間１で最初の移動度補正動作を行う。続いて制御信号ＷＳに含まれる第２のパルスに応じてサンプリングトランジスタが再びオンし、タイミングＴ８〜タイミングＴ９までの間の移動度補正期間２で２回目の移動度補正動作を行う。第２のパルスのピークレベルは白階調動作点より低いものの黒階調動作点よりは高く設定しているため、映像信号がグレー階調あるいは黒階調のときサンプリングトランジスタはオン状態となる。また１回目の移動度補正期間Ｔ６‐Ｔ７と２回目の移動度補正期間Ｔ８‐Ｔ９の間に挟まれた補正中間期間Ｔ７‐Ｔ８では、第１実施形態と同様に加速化した移動度補正動作が行われる。但し本実施形態は第１実施形態と異なり、映像信号がグレー階調及び黒階調のときだけ、移動度補正期間を２分割し且補正中間期間で加速補正動作を行うようにしている。
【００８３】
以上の説明から明らかなように、本第２実施形態では、映像信号が白階調のとき第一移動度補正期間のみとなり、従来どおりの移動度補正動作が行われる。１発目のパルスだけでなく２発目のパルスでもサンプリングトランジスタがオン動作するグレー階調や黒階調では、第一移動度補正期間の通常補正量＋補正中間期間の加速補正量＋第二移動度補正期間の通常補正量が、トータルの移動度補正量ΔＶとなる。かかる構成により、短い補正時間の白階調と長めの補正時間のグレーないし黒階調の補正動作を、内部パルスにて自動的に適応制御することができる。
【００８４】
図１９は、図１８に示した第２実施形態の変形例を示す波形図である。（Ａ）に示した第１変形例では制御信号ＷＳが三連のパルスを含んでおり、移動度補正時間を３分割して補正動作を行っている。第２パルス及び第３パルスのピークレベルは第１パルスのピークレベルよりも低く設定されており、白階調動作点と黒階調動作点の間に位置する。本変化例の場合、白階調のとき移動度補正動作は１回限りであり、グレー階調及び黒階調のとき移動度補正動作は３回行われることになる。
【００８５】
（Ｂ）は第２変形例を表している。（Ａ）に示した第１変形例と異なる点は、第２パルスと第３パルスのピークレベルが異なっていることである。この場合、映像信号が白階調のとき移動度補正動作は１回だけ行われ、グレーレベルの時移動度補正動作は第１パルス及び第２パルスに応答して２回行われ、黒レベルの時移動度補正動作は第１〜第３パルスに応答して３回行われる。この様にパルス数を増やし且レベルを変えることで、より精密に階調に応じた移動度補正動作を行うことができる。
【００８６】
図２０は、本発明の第２実施形態にかかるライトスキャナの構成例を示す模式図である。（Ａ）は特にライトスキャナの出力バッファ４Ｂを表している。図示するように、出力バッファ４Ｂは１個のＰチャネルトランジスタＴｒＰと２個のＮチャネルトランジスタＴｒＮ，ＴｒＮｂとで構成されている。一対のトランジスタＴｒＰ及びＴｒＮは電源電位Ｖｃｃと接地電位Ｖｓｓａとの間に直列接続されて、インバータを構成している。ＰチャネルトランジスタＴｒＰのゲートにはシフトレジスタから入力パルス１が供給される。またＮチャネルトランジスタＴｒＮのゲートには同じくシフトレジスタから入力パルス２が供給される。トランジスタＴｒＰとＴｒＮの接続ノードが出力端子となっている。出力端子と接地電位Ｖｓｓｂの間にＮチャネルトランジスタＴｒＮｂが接続されている。そのゲートにはシフトレジスタから入力パルス３が供給されている。
【００８７】
（Ｂ）は（Ａ）に示した出力バッファ４Ｂの動作説明に供するタイミングチャートであって、シフトレジスタ側から供給される入力パルス１，２，３と、走査線に制御信号として供給される出力パルスとを時間軸を揃えて表している。タイミングチャートに示すように、入力パルス１及び入力パルス２が共にローレベルの時、ピークレベルがＶｃｃの出力パルスが供給される。続いて入力パルス２がローレベルで入力パルス３がハイレベルの時出力レベルがＶｓｓｂの２発目のパルスが出力される。この様にして出力バッハ４Ｂは二連のパルスを含む制御信号を対応する走査線に供給する。二連のパルスの内最初のパルスはそのピークレベルがＶｃｃであり、次のパルスはそのピークレベルがＶｓｓｂとなっている。ここでＶｓｓｂはＶｃｃに比べ低く設定されている。この様に本実施形態にかかるライトスキャナは、内部的に二連のパルスを生成することができ、特に外部のパルス電源から電源パルスの供給を受ける必要がない。
【００８８】
図２１は、第２実施形態にかかるライトスキャナの別の例を示す模式図である。理解を容易にするため、図２０に示したライトスキャナと同様の表記を採用している。（Ａ）に示すように、このライトスキャナの出力バッファ４Ｂは、通常のインバータ構成となっており、ＰチャネルトランジスタＴｒＰとＮチャネルトランジスタＴｒＮの直列接続からなる。一対のトランジスタＴｒＰ，ＴｒＮのゲートは共通接続されており、シフトレジスタから入力パルスが供給される。トランジスタＴｒＰとＴｒＮの接続ノードは出力端子となっており、対応する走査線ＷＳに接続されている。異なる点は、インバータの接地ラインに外部パルス電源から電源パルスが供給されていることである。この電源パルスはローレベルＶｓｓａとハイレベルＶｓｓｂとの間で切換る。
【００８９】
（Ｂ）は（Ａ）に示したライトスキャナの出力バッファ４Ｂの動作説明に供するタイミングチャートである。Ｎ−１段目及びＮ段目の入力パルスと、Ｎ−１段目及びＮ段目の出力パルスを表している。またこれらのパルスと位相を合わせて電源パルスの波形も表してある。図示するように、電源パルスは１Ｈ周期のパルスを含んでおり、そのピークレベルはＶｓｓｂである。例えばＮ段目に着目すると、入力パルスがローレベルの時、出力バッファ４Ｂのインバータはこれを反転してピークレベルがＶｃｃの第１出力パルスを出力する。その後入力パルスがハイレベルに戻りＮチャネルトランジスタＴｒＮがオン状態となって、電源パルスを１個抜取り、そのままピークレベルがＶｓｓｂの第２パルスとして出力端子に供給する。ここでＶｓｓｂはＶｃｃよりも低く設定されている。本例は図２０に示した先の例と異なり、ピークレベルが異なる二連の制御信号パルスを形成するため、外部から電源パルスの供給を受けている。
【００９０】
図２２は、本発明にかかる表示装置の第２実施形態の第３変形例を示す波形図である。理解を容易にするため図１８に示した第２実施形態の波形図と同様の表記を採用している。本変形例においても、移動度補正期間は、第一移動度補正期間Ｔ６‐Ｔ７と、第二移動度補正期間Ｔ８‐Ｔ９と、両者の間の補正中間期間Ｔ７‐Ｔ８とに分かれている。また第一移動度補正期間Ｔ６‐Ｔ７を規定する制御信号ＷＳの第１ピークと、同じく第２補正期間Ｔ８‐Ｔ９を規定する第２ピークとは、異なるレベルに設定されている。本変形例の特徴事項として、第２パルスのピークレベルは、そのパルス幅（即ち第二移動度補正期間Ｔ８‐Ｔ９）をパラメータとして設定するようにしている。具体的には、パルス幅をパルス波形の遷移時間τよりも狭めて、各パルスのピークレベルを設定している。図示するように、制御信号ＷＳのパルス波形は立上り及び立下り共にトランジェントがあるため、鈍りが生じている。パルスが立ち上がってから完全にＶｃｃに到達する前に立下がるようにすることで、パルスのピークレベルを自在に可変調整することができる。パルス幅を長く取るほど、ピークレベルは上方にシフトし、トランジェント時間を超えるとピークレベルはＶｃｃに達する。第２のパルスの幅を調整することで、ピークレベルを白階調動作点と黒階調動作点との間の所定のレベルに設定することが可能である。
【００９１】
図２３は、第２実施形態の第４変形例を示す波形図である。図２２に示した第３変形例と同様の表記を採用して理解を容易にしている。異なる点は、本変形例が三連のパルスを含む制御信号ＷＳを走査線ＷＳに供給していることである。２発目のパルス及び３発目のパルスのピークレベルは、それぞれパルス幅を調整することで所定の振幅に設定されている。本変形例では、第２パルスのパルス幅（Ｔ８‐Ｔ９）が第３パルスの幅（Ｔ１０‐Ｔ１１）よりも長い。これに応じて第２パルスのピークレベルは第３パルスのピークレベルよりも高くなっている。
【００９２】
図２４は、本発明にかかる表示装置の別の実施形態を示す全体構成図である。図示するように、本表示装置は、画素アレイ部１とこれを駆動する駆動部とからなる。画素アレイ部１は、行状の走査線ＷＳと、列状の信号線（信号ライン）ＳＬと、両者が交差する部分に配された行列状の画素２と、各画素２の各行に対応して配された給電線（電源ライン）ＶＬとを備えている。なお本例は、各画素２にＲＧＢ三原色のいずれかが割り当てられており、カラー表示が可能である。但しこれに限られるものではなく、単色表示のデバイスも含む。駆動部は、各走査線ＷＳに順次制御信号を供給して画素２を行単位で線順次走査するライトスキャナ４と、この線順次走査に合わせて各給電線ＶＬに第１電位と第２電位で切換る電源電圧を供給する電源スキャナ６と、この線順次走査に合わせて列状の信号線ＳＬに駆動信号となる信号電位と基準電位を供給する信号セレクタ（水平セレクタ）３とを備えている。
【００９３】
図２５は、図２４に示した表示装置に含まれる画素２の具体的な構成及び結線関係を示す回路図である。図示するように、この画素２は有機ＥＬデバイスなどで代表される発光素子ＥＬと、サンプリングトランジスタＴｒ１と、ドライブトランジスタＴｒｄと、保持容量Ｃｓとを含む。サンプリングトランジスタＴｒ１は、その制御端（ゲート）が対応する走査線ＷＳに接続し、一対の電流端（ソース及びドレイン）の片方が対応する信号線ＳＬに接続し、他方がドライブトランジスタＴｒｄの制御端（ゲートＧ）に接続する。ドライブトランジスタＴｒｄは、一対の電流端（ソースＳ及びドレイン）の一方が発光素子ＥＬに接続し、他方が対応する給電線ＶＬに接続している。本例では、ドライブトランジスタＴｒｄがＮチャネル型であり、そのドレインが給電線ＶＬに接続する一方、ソースＳが出力ノードとして発光素子ＥＬのアノードに接続している。発光素子ＥＬのカソードは所定のカソード電位Ｖｃａｔｈに接続している。保持容量ＣｓはドライブトランジスタＴｒｄの片方の電流端であるソースＳと制御端であるゲートＧの間に接続している。
【００９４】
かかる構成において、サンプリングトランジスタＴｒ１は走査線ＷＳから供給された制御信号に応じて導通し、信号線ＳＬから供給された信号電位をサンプリングして保持容量Ｃｓに保持する。ドライブトランジスタＴｒｄは、第１電位（高電位Ｖｃｃ）にある給電線ＶＬから電流の供給を受け保持容量Ｃｓに保持された信号電位に応じて駆動電流を発光素子ＥＬに流す。ライトスキャナ４は、信号線ＳＬが信号電位にある時間帯にサンプリングトランジスタＴｒ１を導通状態にするため、所定のパルス幅の制御信号を制御線ＷＳに出力し、以って保持容量Ｃｓに信号電位を保持すると同時にドライブトランジスタＴｒｄの移動度μに対する補正を信号電位に加える。この後ドライブトランジスタＴｒｄは保持容量Ｃｓに書き込まれた信号電位Ｖｓｉｇに応じた駆動電流を発光素子ＥＬに供給し、発光動作に入る。
【００９５】
本画素回路２は、上述した移動度補正機能に加え閾電圧補正機能も備えている。即ち電源スキャナ６は、サンプリングトランジスタＴｒ１が信号電位Ｖｓｉｇをサンプリングする前に、第１タイミングで給電線ＶＬを第１電位（高電位Ｖｃｃ）から第２電位（低電位Ｖｓｓ２）に切換える。またライトスキャナ４は同じくサンプリングトランジスタＴｒ１が信号電位Ｖｓｉｇをサンプリングする前に、第２タイミングでサンプリングトランジスタＴｒ１を導通させて信号線ＳＬから基準電位Ｖｓｓ１をドライブトランジスタＴｒｄのゲートＧに印加すると共にドライブトランジスタＴｒｄのソースＳを第２電位（Ｖｓｓ２）にセットする。電源スキャナ６は第２タイミングの後の第３タイミングで給電線ＶＬを第２電位Ｖｓｓ２から第１電位Ｖｃｃに切換えて、ドライブトランジスタＴｒｄの閾電圧Ｖｔｈに相当する電圧を保持容量Ｃｓに保持する。かかる閾電圧補正機能により、本表示装置は画素毎にばらつくドライブトランジスタＴｒｄの閾電圧Ｖｔｈの影響をキャンセルすることができる。
【００９６】
本画素回路２は、さらにブートストラップ機能も備えている。即ちライトスキャナ４は保持容量Ｃｓに信号電位Ｖｓｉｇが保持された段階で走査線ＷＳに対する制御信号の印加を解除し、サンプリングトランジスタＴｒ１を非道通状態にしてドライブトランジスタＴｒｄのゲートＧを信号線ＳＬから電気的に切り離し、以ってドライブトランジスタＴｒｄのソースＳの電位変動にゲートＧの電位が連動し、ゲートＧとソースＳ間の電圧Ｖｇｓを一定に維持することができる。
【００９７】
図２６は、図２５に示した画素回路２の動作説明に供するタイミングチャートである。但し実施形態ではなくその元になった先行開発例を表している。時間軸を共通にして、走査線ＷＳの電位変化、給電線ＶＬの電位変化及び信号線ＳＬの電位変化を表している。またこれらの電位変化と並行に、ドライブトランジスタのゲートＧ及びソースＳの電位変化も表してある。
【００９８】
走査線ＷＳには、サンプリングトランジスタＴｒ１をオンするための制御信号パルスが印加される。この制御信号パルスは画素アレイ部の線順次走査に合わせて１フィールド（１ｆ）周期で走査線ＷＳに印加される。この制御信号パルスは一水平走査周期（１Ｈ）の間に二発のパルスを含んでいる。最初のパルスを第一パルスＰ１とし、後続のパルスを第二パルスＰ２と呼ぶ場合がある。給電線ＶＬは同じように１フィールド周期（１ｆ）で高電位Ｖｃｃと低電位Ｖｓｓ２との間で切換る。信号線ＳＬには一水平走査周期（１Ｈ）内で信号電位Ｖｓｉｇと基準電位Ｖｓｓ１が切換る駆動信号を供給している。
【００９９】
図２６のタイミングチャートに示すように、画素は前のフィールドの発光期間から当該フィールドの非発光期間に入り、そのあと当該フィールドの発光期間となる。この非発光期間で準備動作、閾電圧補正動作、信号書込動作、移動度補正動作などを行う。
【０１００】
前フィールドの発光期間では、給電線ＶＬが高電位Ｖｃｃにあり、ドライブトランジスタＴｒｄが駆動電流Ｉｄｓを発光素子ＥＬに供給している。駆動電流Ｉｄｓは高電位Ｖｃｃにある給電線ＶＬからドライブトランジスタＴｒｄを介して発光素子ＥＬを通り、カソードラインに流れ込んでいる。
【０１０１】
続いて当該フィールドの非発光期間に入るとまずタイミングＴ１で給電線ＶＬを高電位Ｖｃｃから低電位Ｖｓｓ２に切換える。これにより給電線ＶＬはＶｓｓ２まで放電され、さらにドライブトランジスタＴｒｄのソースＳの電位はＶｓｓ２まで下降する。これにより発光素子ＥＬのアノード電位（即ちドライブトランジスタＴｒｄのソース電位）は逆バイアス状態となるため、駆動電流が流れなくなり消灯する。またドライブトランジスタのソースＳの電位降下に連動してゲートＧの電位も降下する。
【０１０２】
続いてタイミングＴ２になると、走査線ＷＳを低レベルから高レベルに切換えることで、サンプリングトランジスタＴｒ１が導通状態になる。この時信号線ＳＬは基準電位Ｖｓｓ１にある。よってドライブトランジスタＴｒｄのゲートＧの電位は導通したサンプリングトランジスタＴｒ１を通じて信号線ＳＬの基準電位Ｖｓｓ１となる。この時ドライブトランジスタＴｒｄのソースＳの電位はＶｓｓ１よりも十分低い電位Ｖｓｓ２にある。この様にしてドライブトランジスタＴｒｄのゲートＧとソースＳとの間の電圧ＶｇｓがドライブトランジスタＴｒｄの閾電圧Ｖｔｈより大きくなるように、初期化される。タイミングＴ１からタイミングＴ３までの期間Ｔ１‐Ｔ３はドライブトランジスタＴｒｄのゲートＧ／ソースＳ間電圧Ｖｇｓを予めＶｔｈ以上に設定する準備期間である。
【０１０３】
この後タイミングＴ３になると、給電線ＶＬが低電位Ｖｓｓ２から高電位Ｖｃｃに遷移し、ドライブトランジスタＴｒｄのソースＳの電位が上昇を開始する。やがてドリライブトランジスタＴｒｄのゲートＧ／ソースＳ間電圧Ｖｇｓが閾電圧Ｖｔｈとなった所で電流がカットオフする。この様にしてドライブトランジスタＴｒｄの閾電圧Ｖｔｈに相当する電圧が保持容量Ｃｓに書き込まれる。これが閾電圧補正動作である。この時電流がもっぱら保持容量Ｃｓ側に流れ、発光素子ＥＬには流れないようにするため、発光素子ＥＬがカットオフとなるようにカソード電位Ｖｃａｔｈを設定しておく。
【０１０４】
タイミングＴ４では走査線ＷＳがハイレベルからローレベルに戻る。換言すると、走査線ＷＳに印加された第一パルスＰ１が解除され、サンプリングトランジスタはオフ状態になる。以上の説明から明らかなように、第一パルスＰ１は閾電圧補正動作を行うために、サンプリングトランジスタＴｒ１のゲートに印加される。
【０１０５】
この後信号線ＳＬが基準電位Ｖｓｓ１から信号電位Ｖｓｉｇに切換る。続いてタイミングＴ５で走査線ＷＳが再びローレベルからハイレベルに立上る。換言すると第二パルスＰ２がサンプリングトランジスタＴｒ１のゲートに印加される。これによりサンプリングトランジスタＴｒ１は再びオンし、信号線ＳＬから信号電位Ｖｓｉｇをサンプリングする。よってドライブトランジスタＴｒｄのゲートＧの電位は信号電位Ｖｓｉｇになる。ここで発光素子ＥＬは始めカットオフ状態（ハイインピーダンス状態）にあるためドライブトランジスタＴｒｄのドレインとソースの間に流れる電流は専ら保持容量Ｃｓと発光素子ＥＬの等価容量に流れ込み充電を開始する。この後サンプリングトランジスタＴｒ１がオフするタイミングＴ６までに、ドライブトランジスタＴｒｄのソースＳの電位はΔＶだけ上昇する。この様にして映像信号の信号電位ＶｓｉｇがＶｔｈに足し込まれる形で保持容量Ｃｓに書き込まれる共に、移動度補正用の電圧ΔＶが保持容量Ｃｓに保持された電圧から差し引かれる。よってタイミングＴ５からタイミングＴ６まで期間Ｔ５‐Ｔ６が信号書込期間＆移動度補正期間となる。換言すると、走査線ＷＳに第二パルスＰ２が印加されると、信号書込動作及び移動度補正動作が行われる。信号書込期間＆移動度補正期間Ｔ５‐Ｔ６は、第二パルスＰ２のパルス幅に等しい。即ち第二パルスＰ２のパルス幅が移動度補正期間を規定している。
【０１０６】
この様に信号書込期間Ｔ５‐Ｔ６では信号電にＶｓｉｇの書込みと補正量ΔＶの調整が同時に行われる。Ｖｓｉｇが高いほどドライブトランジスタＴｒｄが供給する電流Ｉｄｓは大きくなり、ΔＶの絶対値も大きくなる。従って発光輝度レベルに応じた移動度補正が行われる。Ｖｓｉｇを一定とした場合、ドライブトランジスタＴｒｄの移動度μが大きいほどΔＶの絶対値が大きくなる。換言すると移動度μが大きいほど保持容量Ｃｓに対する負帰還量ΔＶが大きくなるので、画素毎の移動度μのばらつきを取り除くことができる。
【０１０７】
最後にタイミングＴ６になると、前述したように走査線ＷＳが低レベル側に遷移し、サンプリングトランジスタＴｒ１はオフ状態となる。これによりドライブトランジスタＴｒｄのゲートＧは信号線ＳＬから切り離される。このときドレイン電流Ｉｄｓが発光素子ＥＬを流れ始める。これにより発光素子ＥＬのアノード電位は駆動電流Ｉｄｓに応じて上昇する。発光素子ＥＬのアノード電位の上昇は、即ちドライブトランジスタＴｒｄのソースＳの電位上昇に他ならない。ドライブトランジスタＴｒｄのソースＳの電位が上昇すると、保持容量Ｃｓのブートストラップ動作によりドライブトランジスタＴｒｄのゲートＧの電位も連動して上昇する。ゲート電位の上昇量はソース電位の上昇量に等しくなる。ゆえに発光期間中ドライブトランジスタＴｒｄのゲートＧ／ソースＳ間の入力電圧Ｖｇｓは一定に保持される。このゲート電圧Ｖｇｓの値は信号電位Ｖｓｉｇに閾電圧Ｖｔｈ及び移動量μの補正をかけたものとなっている。ドライブトランジスタＴｒｄは飽和領域で動作する。即ちドライブトランジスタＴｒｄは、ゲートＧ／ソースＳ間の入力電圧Ｖｇｓに応じた駆動電流Ｉｄｓを出力する。このゲート電圧Ｖｇｓの値は信号電位Ｖｓｉｇに閾電圧Ｖｔｈ及び移動量μの補正をかけたものとなっている。
【０１０８】
図２７は、本発明にかかる表示装置の第３実施形態を示すタイミングチャートである。本実施形態は図２６に示した先行開発例の改良版である。理解を容易にするため、図２６に示した先行開発例と同様の表記を採用している。異なる点は、図２６に示した先行開発例では、制御信号ＷＳが２発のパルスＰ１，Ｐ２を含んでいるのに対し、本第３実施形態では制御信号ＷＳが３発の制御信号パルスＰ１，Ｐ２，Ｐ３を含んでいることである。最初のパルスＰ１は閾電圧補正期間を規定しており、第２及び第３の制御パルスＰ２，Ｐ３はそれぞれ移動度補正期間を規定している。即ち本実施形態は二連のパルスＰ２，Ｐ３で移動度補正期間を２分割し、両者の間に補正中間期間を設けることで、加速的な移動度補正動作を行っている。図示するように二連パルスの内最初のパルスＰ２が第一移動度補正期間Ｔ５‐Ｔ６に対応し、２番目のパルスＰ３が第二移動度補正期間Ｔ７‐Ｔ８に対応している。両補正期間の間に補正中間期間Ｔ６‐Ｔ７が挿入されている。
【０１０９】
図２８は、本発明にかかる表示装置の第４実施形態を示すタイミングチャートである。理解を容易にするため図２７に示した第３実施形態と同様の表記を採用している。図２７の第３実施形態と異なる点は、第２パルスＰ２のピークレベルに比べ第３パルスＰ３のピークレベルを低く設定していることである。本実施形態においても、ドライブトランジスタＴｒｄのドレイン側に電源電圧Ｖｄｄを供給した状態で、移動度補正動作を複数回に分割している。これにより補正期間の中間時間において、加速された移動度補正動作を行うことができる。特に本実施形態では、分割した制御パルスＰ２，Ｐ３の各々のオン電圧（ピークレベル）を可変とし、動作点ごとに最適な移動度補正時間を設定している。これにより階調ごとの動作点により補正時間の差異を生じさせることができる。
【０１１０】
本発明にかかる表示装置は、図２９に示すような薄膜デバイス構成を有する。本図は、絶縁性の基板に形成された画素の模式的な断面構造を表している。図示するように、画素は、複数の薄膜トランジタを含むトランジスター部（図では１個のＴＦＴを例示）、保持容量などの容量部及び有機ＥＬ素子などの発光部とを含む。基板の上にＴＦＴプロセスでトランジスター部や容量部が形成され、その上に有機ＥＬ素子などの発光部が積層されている。その上に接着剤を介して透明な対向基板を貼り付けてフラットパネルとしている。
【０１１１】
本発明にかかる表示装置は、図３０に示すようにフラット型のモジュール形状のものを含む。例えば絶縁性の基板上に、有機ＥＬ素子、薄膜トランジスタ、薄膜容量等からなる画素をマトリックス状に集積形成した画素アレイ部を設ける、この画素アレイ部（画素マトリックス部）を囲むように接着剤を配し、ガラス等の対向基板を貼り付けて表示モジュールとする。この透明な対向基板には必要に応じて、カラーフィルタ、保護膜、遮光膜等を設けてももよい。表示モジュールには、外部から画素アレイ部への信号等を入出力するためのコネクタとして例えばＦＰＣ（フレキシブルプリントサーキット）を設けてもよい。
【０１１２】
以上説明した本発明における表示装置は、フラットパネル形状を有し、様々な電子機器、例えば、デジタルカメラ、ノート型パーソナルコンピューター、携帯電話、ビデオカメラなど、電子機器に入力された、若しくは、電子機器内で生成した駆動信号を画像若しくは映像として表示するあらゆる分野の電子機器のディスプレイに適用することが可能である。以下この様な表示装置が適用された電子機器の例を示す。
【０１１３】
図３１は本発明が適用されたテレビであり、フロントパネル１２、フィルターガラス１３等から構成される映像表示画面１１を含み、本発明の表示装置をその映像表示画面１１に用いることにより作製される。
【０１１４】
図３２は本発明が適用されたデジタルカメラであり、上が正面図で下が背面図である。このデジタルカメラは、撮像レンズ、フラッシュ用の発光部１５、表示部１６、コントロールスイッチ、メニュースイッチ、シャッター１９等を含み、本発明の表示装置をその表示部１６に用いることにより作製される。
【０１１５】
図３３は本発明が適用されたノート型パーソナルコンピュータであり、本体２０には文字等を入力するとき操作されるキーボード２１を含み、本体カバーには画像を表示する表示部２２を含み、本発明の表示装置をその表示部２２に用いることにより作製される。
【０１１６】
図３４は本発明が適用された携帯端末装置であり、左が開いた状態を表し、右が閉じた状態を表している。この携帯端末装置は、上側筐体２３、下側筐体２４、連結部（ここではヒンジ部）２５、ディスプレイ２６、サブディスプレイ２７、ピクチャーライト２８、カメラ２９等を含み、本発明の表示装置をそのディスプレイ２６やサブディスプレイ２７に用いることにより作製される。
【０１１７】
図３５は本発明が適用されたビデオカメラであり、本体部３０、前方を向いた側面に被写体撮影用のレンズ３４、撮影時のスタート／ストップスイッチ３５、モニター３６等を含み、本発明の表示装置をそのモニター３６に用いることにより作製される。
【図面の簡単な説明】
【０１１８】
【図１】本発明にかかる表示装置の全体構成を示すブロック図である。
【図２】図１に示した表示装置に含まれる画素の構成を示す回路図である。
【図３】図２に示した画素の動作説明に供する回路図である。
【図４】図１及び図２に示した表示装置の動作説明に供する参考タイミングチャートである。
【図５】同じく図１及び図２に示した表示装置の動作説明に供する回路図である。
【図６】同じく動作説明に供するグラフである。
【図７】同じく動作説明に供するグラフである。
【図８】同じく動作説明に供する波形図である。
【図９】先行開発例にかかるライトスキャナを示す回路図である。
【図１０】図９に示したライトスキャナの動作説明に供するタイミングチャートである。
【図１１】同じく図９に示したライトスキャナの動作説明に供する波形図である。
【図１２】本発明にかかる表示装置に組み込まれるライトスキャナの構成を示す回路図である。
【図１３】本発明の第１実施形態を示すタイミングチャートである。
【図１４】第１実施形態の動作説明に供する波形図である。
【図１５】第１実施形態の動作説明に供する回路図である。
【図１６】第１実施形態の変形例を示す波形図である。
【図１７】本発明にかかる表示装置の第２実施形態を示すタイミングチャートである。
【図１８】第２実施形態の動作説明に供する波形図である。
【図１９】第２実施形態の変形例を示す波形図である。
【図２０】第２実施形態にかかるライトスキャナを示す模式図である。
【図２１】第２実施形態にかかるライトスキャナの別の例を示す模式図である。
【図２２】第２実施形態の他の変形例を示す波形図である。
【図２３】第２実施形態のさらに別の変形例を示す波形図である。
【図２４】本発明にかかる表示装置の別の構成例を示す全体ブロック図である。
【図２５】図２４に示した表示装置の画素構成を示す回路図である。
【図２６】表示装置の先行開発例を示すタイミングチャートである。
【図２７】本発明にかかる表示装置の第３実施形態を示すタイミングチャートである。
【図２８】本発明にかかる表示装置の第４実施形態を示すタイミングチャートである。
【図２９】本発明にかかる表示装置のデバイス構成を示す断面図である。
【図３０】本発明にかかる表示装置のモジュール構成を示す平面図である。
【図３１】本発明にかかる表示装置を備えたテレビジョンセットを示す斜視図である。
【図３２】本発明にかかる表示装置を備えたデジタルスチルカメラを示す斜視図である。
【図３３】本発明にかかる表示装置を備えたノート型パーソナルコンピュータを示す斜視図である。
【図３４】本発明にかかる表示装置を備えた携帯端末装置を示す模式図である。
【図３５】本発明にかかる表示装置を備えたビデオカメラを示す斜視図である。
【符号の説明】
【０１１９】
０・・・パネル、１・・・画素アレイ部、２・・・画素回路、３・・・水平セレクタ、４・・・ライトスキャナ、４Ｂ・・・出力バッファ、５・・・ドライブスキャナ、７１・・・第一補正用スキャナ、７２・・・第二補正用スキャナ、Ｔｒ１・・・サンプリングトランジスタ、Ｔｒ２・・・第１スイッチングトランジスタ、Ｔｒ３・・・第２スイッチングトランジスタ、Ｔｒ４・・・第３スイッチングトランジスタ、Ｔｒｄ・・・ドライブトランジスタ、Ｃｓ・・・保持容量、ＥＬ・・・発光素子、Ｖｓｓ１・・・第１電源電位、Ｖｓｓ２・・・第２電源電位、ＶＤＤ・・・第３電源電位、ＷＳ・・・第１走査線、ＤＳ・・・第２走査線、ＡＺ１・・・第３走査線、ＡＺ２・・・第４走査線
【図１】
0004433039.tif 000005
【図２】
0004433039.tif 000006
【図３】
0004433039.tif 000007
【図４】
0004433039.tif 000008
【図５】
0004433039.tif 000009
【図６】
0004433039.tif 000010
【図７】
0004433039.tif 000011
【図８】
0004433039.tif 000012
【図９】
0004433039.tif 000013
【図１０】
0004433039.tif 000014
【図１１】
0004433039.tif 000015
【図１２】
0004433039.tif 000016
【図１３】
0004433039.tif 000017
【図１４】
0004433039.tif 000018
【図１５】
0004433039.tif 000019
【図１６】
0004433039.tif 000020
【図１７】
0004433039.tif 000021
【図１８】
0004433039.tif 000022
【図１９】
0004433039.tif 000023
【図２０】
0004433039.tif 000024
【図２１】
0004433039.tif 000025
【図２２】
0004433039.tif 000026
【図２３】
0004433039.tif 000027
【図２４】
0004433039.tif 000028
【図２５】
0004433039.tif 000029
【図２６】
0004433039.tif 000030
【図２７】
0004433039.tif 000031
【図２８】
0004433039.tif 000032
【図２９】
0004433039.tif 000033
【図３０】
0004433039.tif 000034
【図３１】
0004433039.tif 000035
【図３２】
0004433039.tif 000036
【図３３】
0004433039.tif 000037
【図３４】
0004433039.tif 000038
【図３５】
0004433039.tif 000039